(57)【特許請求の範囲】
【請求項１】
１つまたは複数のフレキシブル帯域幅キャリアを利用するマルチキャリアシステムにおけるシグナリング整合の方法であって、
第１のセルのための１つまたは複数のフィードバックメッセージを搬送する１つまたは複数のサブフレームのためのタイミングを識別することと、
前記第１のセルのための前記１つまたは複数のフィードバックメッセージを搬送する前記１つまたは複数のサブフレームと整合するように、第２のセルのための１つまたは複数のフィードバックメッセージを搬送する１つまたは複数のサブフレームのためのタイミングを調整することと、ここにおいて、少なくとも前記第１のセルまたは前記第２のセルは、前記１つまたは複数のフレキシブル帯域幅キャリアのうちの少なくとも１つを備え、前記１つまたは複数のフレキシブル帯域幅キャリアは、スケーリング係数を用いてスケールアップされたまたはスケールダウンされた時間またはチップレートを提供し、前記第１のセルの前記チップレートは前記第２のセルの前記チップレートとは異なる、
を備える方法。
【請求項２】
前記１つまたは複数のフィードバックメッセージが、少なくともＡＣＫメッセージまたはＮＡＣＫメッセージを備える、請求項１に記載の方法。
【請求項３】
前記第２のセルのための前記１つまたは複数のサブフレームのための前記タイミングを調整することが、スタンドアロンキャリアセルに対して、前記第２のセルのための前記１つまたは複数のフィードバックメッセージのための遅延を低減する、請求項１に記載の方法。
【請求項４】
前記第２のセルのための前記１つまたは複数のサブフレームのための前記タイミングを調整することが、前記第２のセルの帯域幅が前記第１のセルのフレキシブル帯域幅よりも大きいとき、前記第１のセルと前記第２のセルの両方のための前記１つまたは複数のフィードバックメッセージのために使用される送信時間遅延の増加を備える、請求項１に記載の方法。
【請求項５】
前記第２のセルのための前記１つまたは複数のサブフレームのための前記タイミングを調整することが、前記第２のセルのフレキシブル帯域幅が前記第１のセルの帯域幅未満であるとき、前記第１のセルと第２のセルの両方のための前記１つまたは複数のフィードバックメッセージのために使用される送信時間遅延の減少を備える、請求項１に記載の方法。
【請求項６】
前記第１のセルが、通常帯域幅キャリアを備え、前記第２のセルが、前記１つまたは複数のフレキシブル帯域幅キャリアのうちの１つを備える、または、前記第１のセルが、前記１つまたは複数のフレキシブル帯域幅キャリアのうちの１つを備え、前記第２のセルが、通常帯域幅キャリアを備える、または、前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、請求項１に記載の方法。
【請求項７】
前記第１のセルが、１に等しい帯域幅スケーリング係数を備え、前記第２のセルが、２または４に等しい帯域幅スケーリング係数を備える、請求項６に記載の方法。
【請求項８】
前記第１のセルが、２または４に等しい帯域幅スケーリング係数を備え、前記第２のセルが、１に等しい帯域幅スケーリング係数を備える、請求項６に記載の方法。
【請求項９】
１つまたは複数のフレキシブル帯域幅キャリアを利用する、複数のキャリアを用いるシグナリング整合のためのシステムであって、
第１のセルのための１つまたは複数のフィードバックメッセージを搬送する１つまたは複数のサブフレームのためのタイミングを識別するための手段と、
前記第１のセルのための前記１つまたは複数のフィードバックメッセージを搬送する前記１つまたは複数のサブフレームと整合するように、第２のセルのための１つまたは複数のフィードバックメッセージを搬送する１つまたは複数のサブフレームのためのタイミングを調整するための手段と、ここにおいて、少なくとも前記第１のセルまたは前記第２のセルは、前記１つまたは複数のフレキシブル帯域幅キャリアのうちの少なくとも１つを備え、前記フレキシブル帯域幅キャリアは、スケーリング係数を用いてスケールアップされたまたはスケールダウンされた時間またはチップレートを提供し、前記第１のセルの前記チップレートは前記第２のセルの前記チップレートとは異なる、
を備えるシステム。
【請求項１０】
前記１つまたは複数のフィードバックメッセージが、少なくともＡＣＫメッセージまたはＮＡＣＫメッセージを備える、および／または、前記第２のセルのための前記１つまたは複数のサブフレームのための前記タイミングを調整するための前記手段が、スタンドアロンキャリアセルに対して、前記１つまたは複数のフィードバックメッセージ前記第２のセルのための遅延を低減する、請求項９に記載のシステム。
【請求項１１】
前記第２のセルのための前記１つまたは複数のサブフレームのための前記タイミングを調整するための前記手段が、前記第２のセルの帯域幅が前記第１のセルのフレキシブル帯域幅よりも大きいとき、前記第１のセルと前記第２のセルの両方のための前記１つまたは複数のフィードバックメッセージのために使用される送信時間遅延の増加を備える、または、前記第２のセルのための前記１つまたは複数のサブフレームのための前記タイミングを調整するための前記手段が、前記第２のセルのフレキシブル帯域幅が前記第１のセルの帯域幅未満であるとき、前記第１のセルと第２のセルの両方のための前記１つまたは複数のフィードバックメッセージのために使用される送信時間遅延の減少を備える、請求項９に記載のシステム。
【請求項１２】
前記第１のセルが、通常帯域幅キャリアを備え、前記第２のセルが、前記１つまたは複数のフレキシブル帯域幅キャリアのうちの１つを備える、または、前記第１のセルが、前記１つまたは複数のフレキシブル帯域幅キャリアのうちの１つを備え、前記第２のセルが、通常帯域幅キャリアを備える、または、前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、請求項９に記載のシステム。
【請求項１３】
前記第１のセルが、１に等しい帯域幅スケーリング係数を備え、前記第２のセルが、２または４に等しい帯域幅スケーリング係数を備える、請求項１２に記載のシステム。
【請求項１４】
前記第１のセルが、２または４に等しい帯域幅スケーリング係数を備え、前記第２のセルが、１に等しい帯域幅スケーリング係数を備える、請求項１２に記載のシステム。
【請求項１５】
プロセッサによって実行されると、前記プロセッサに、請求項１から請求項８のうちの何れか一項の方法のステップを実行させるコードを備える、ワイヤレス通信システムにおけるシグナリング整合のためのコンピュータプログラム。
【発明の詳細な説明】
【技術分野】
【０００１】
相互参照
[0001]本出願は、本出願の譲受人に譲渡され、すべての目的のために参照により明白に本明細書に組み込まれる、２０１３年９月３０日に出願された「ＦＥＥＤＢＡＣＫ  ＭＥＳＳＡＧＥ  ＡＬＩＧＮＭＥＮＴ  ＦＯＲ  ＭＵＬＴＩＣＡＲＲＩＥＲ  ＳＹＳＴＥＭＳ  ＷＩＴＨ  ＦＬＥＸＩＢＬＥ  ＢＡＮＤＷＩＤＴＨ  ＣＡＲＲＩＥＲ」と題する米国特許出願第１４／０４１，７３５号、および、２０１３年４月１５日に出願された「ＳＩＧＮＡＬＩＮＧ  ＡＬＩＧＮＭＥＮＴ  ＦＯＲ  ＭＵＬＴＩＣＡＲＲＩＥＲ  ＳＹＳＴＥＭＳ  ＷＩＴＨ  ＦＬＥＸＩＢＬＥ  ＢＡＮＤＷＩＤＴＨ  ＣＡＲＲＩＥＲ」と題する米国仮特許出願第６１／８１２，１６４号の優先権を主張する。
【背景技術】
【０００２】
[0002]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムがある。
【０００３】
[0003]サービスプロバイダは、典型的には、ある地理的領域における独占的な使用のために、周波数スペクトルのブロックを割り振られる。周波数のこれらのブロックは一般に、使用されている多元接続技術とは無関係に、調整器によって割り当てられる。ほとんどの場合、これらのブロックは、チャネル帯域幅の整数倍ではなく、したがって、スペクトルの利用されない部分があり得る。ワイヤレスデバイスの使用が増加するにつれて、一般に、このスペクトルに対する需要および価値が同様に急増してきた。それにもかかわらず、場合によっては、ワイヤレス通信システムは、割り振られたスペクトルの部分が標準または通常波形に適合するのに十分大きくないので、それらの部分を利用しないことがある。ＬＴＥ規格の開発者は、たとえば、その問題を認識し、多くの異なるシステム帯域幅（たとえば、１．４、３、５、１０、１５および２０ＭＨｚ）をサポートすることを決定した。このことは、この問題に対して１つの部分的な解決策を提供することができる。
【０００４】
[0004]本明細書ではスケーラブル帯域幅システムとも呼ばれる、フレキシブル帯域幅システムは、帯域幅リソースのより良い利用を提供することができる。しかしながら、いくつかのフレキシブル帯域幅システムは、異なる帯域幅を利用する複数のキャリアを含むとき、シグナリング整合を含む、タイミング問題に直面することがある。
【発明の概要】
【０００５】
[0005]１つまたは複数のフレキシブル帯域幅キャリアを利用し得るマルチキャリアシステムのためのシグナリング整合のための方法、システム、およびデバイスが提供される。たとえば、１つもしくは複数の通常帯域幅キャリアと、１つもしくは複数のフレキシブルもしくはスケーラブル帯域幅キャリアとを利用し得るマルチキャリアシステム、および／または、複数の異なるフレキシブル帯域幅キャリアを利用し得るシステムにおける、フィードバックメッセージに関するものなど、シグナリング整合を保証することを助け得る、ツールおよび技法が提供される。フィードバックメッセージは、肯定応答（ＡＣＫ）メッセージおよび／または否定応答（ＮＡＣＫ）メッセージを含み得る。
【０００６】
[0006]ワイヤレス通信システムのためのフレキシブル帯域幅キャリアは、フレキシブル帯域幅波形を利用して、通常波形に適合するのに十分大きくないことがあるスペクトルの部分を利用し得る。フレキシブル帯域幅キャリアを利用するフレキシブル帯域幅システムは、通常帯域幅システムに対してフレキシブル帯域幅システムの時間またはチップレートを膨張させること、またはスケールダウンすることを通して、通常帯域幅システムに対して生成され得る。いくつかの実施形態は、フレキシブル帯域幅システムの時間またはチップレートを拡大、またはスケールアップすることを通して、波形の帯域幅を増大させ得る。
【０００７】
[0007]これらのフレキシブル帯域幅キャリアのうちの１つまたは複数を利用し得るマルチキャリアシステムでは、複数のキャリア間のフィードバックシグナリング、たとえば、ＡＣＫ／ＮＡＣＫシグナリングの不整合は、次いで再送信を必要とし得る、フィードバックシグナリングの不完全な受信を含む、様々な問題を引き起こし得る。再送信は、他のマルチキャリアシステムリソース（帯域幅など）の使用、フィードバックシグナリングもしくはフィードバックシグナリングの再送信を受信するための電力消費における増加、または、フィードバックシグナリングのための送信および受信のためにより多くのサブフレームの使用を必要とすることなど、時間リソースの使用の増加を必要とし得る。これらの問題は、特に、第１のセルおよび／または第２のセルが少なくとも１つのフレキシブル帯域幅キャリアを含む場合、第１のセルのためのフィードバックメッセージを搬送する１つまたは複数のサブフレームと整合するように、第２のセルのためのフィードバックメッセージを搬送する１つまたは複数のサブフレームのためのタイミングを調整することによって対処され得る。
【０００８】
[0008]いくつかの実施形態は、１つまたは複数のフレキシブル帯域幅キャリアを利用するマルチキャリアシステムにおけるシグナリング整合の方法を含む。この方法は、第１のセルのための１つもしくは複数のフィードバックメッセージを搬送する１つもしくは複数のサブフレームのためのタイミングを識別すること、および／または、第１のセルのための１つもしくは複数のフィードバックメッセージを搬送する１つもしくは複数のサブフレームと整合するように、第２のセルのための１つもしくは複数のフィードバックメッセージを搬送する１つもしくは複数のサブフレームのためのタイミングを調整することを含み得る。少なくとも第１のセルまたは第２のセルは、１つまたは複数のフレキシブル帯域幅キャリアのうちの少なくとも１つを含み得る。
【０００９】
[0009]いくつかの実施形態では、１つまたは複数のフィードバックメッセージは、少なくともＡＣＫメッセージまたはＮＡＣＫメッセージを含む。第２のセルのための１つまたは複数のサブフレームのためのタイミングを調整することは、スタンドアロンキャリアセルに対して、第２のセルのための１つまたは複数のフィードバックメッセージのための遅延を低減し得る。第２のセルのための１つまたは複数のサブフレームのためのタイミングを調整することは、第２のセルの帯域幅が第１のセルのフレキシブル帯域幅よりも大きいとき、第１のセルと第２のセルの両方のための１つまたは複数のフィードバックメッセージのために使用されるリソースの容量における増加を含み得る。第２のセルのための１つまたは複数のサブフレームのためのタイミングを調整することは、第２のセルのフレキシブル帯域幅が第１のセルの帯域幅未満であるとき、第１のセルと第２のセルの両方のための１つまたは複数のフィードバックメッセージのために使用されるリソースの容量における減少を含み得る。
【００１０】
[0010]この方法のいくつかの実施形態では、第１のセルは、通常帯域幅キャリアを含み、第２のセルは、１つまたは複数のフレキシブル帯域幅キャリアのうちの１つを含む。いくつかの実施形態では、第１のセルは、１つまたは複数のフレキシブル帯域幅キャリアのうちの１つを含んでよく、第２のセルは、通常帯域幅キャリアを含んでよい。いくつかの実施形態では、第１のセルは、１つまたは複数のフレキシブル帯域幅キャリアのうちの１つを含み、第２のセルは、第１のセルとは異なる、１つまたは複数のフレキシブル帯域幅キャリアのうちの１つを含む。
【００１１】
[0011]場合によっては、第１のセルは、１に等しい帯域幅スケーリング係数を含んでよく、第２のセルは、２または４に等しい帯域幅スケーリング係数を含んでよい。第１のセルは、２または４に等しい帯域幅スケーリング係数を含んでよく、第２のセルは、１に等しい帯域幅スケーリング係数を含んでよい。
【００１２】
[0012]いくつかの実施形態は、１つまたは複数のフレキシブル帯域幅キャリアを利用する、複数のキャリアを用いるシグナリング整合のためのシステムを含む。このシステムは、第１のセルのための１つもしくは複数のフィードバックメッセージを搬送する１つもしくは複数のサブフレームのためのタイミングを識別するための手段、および／または、第１のセルのための１つもしくは複数のフィードバックメッセージを搬送する１つもしくは複数のサブフレームと整合するように、第２のセルのための１つもしくは複数のフィードバックメッセージを搬送する１つもしくは複数のサブフレームのためのタイミングを調整するための手段を含み得る。少なくとも第１のセルまたは第２のセルは、１つまたは複数のフレキシブル帯域幅キャリアのうちの少なくとも１つを含み得る。いくつかの実施形態では、１つまたは複数のフィードバックメッセージは、少なくともＡＣＫメッセージまたはＮＡＣＫメッセージを含む。
【００１３】
[0013]第２のセルのための１つまたは複数のサブフレームのためのタイミングを調整するための手段は、スタンドアロンキャリアセルに対して、１つまたは複数のフィードバックメッセージ第２のセルのための遅延を低減し得る。第２のセルのための１つまたは複数のサブフレームのためのタイミングを調整するための手段は、第２のセルの帯域幅が第１のセルのフレキシブル帯域幅よりも大きいとき、第１のセルと第２のセルの両方のための１つまたは複数のフィードバックメッセージのために使用されるリソースの容量における増加を含み得る。第２のセルのための１つまたは複数のサブフレームのためのタイミングを調整するための手段は、第２のセルのフレキシブル帯域幅が第１のセルの帯域幅未満であるとき、第１のセルと第２のセルの両方のための１つまたは複数のフィードバックメッセージのために使用されるリソースの容量における減少を含み得る。。
【００１４】
[0014]このシステムのいくつかの実施形態では、第１のセルは、通常帯域幅キャリアを含み、第２のセルは、１つまたは複数のフレキシブル帯域幅キャリアのうちの１つを含む。いくつかの実施形態では、第１のセルは、１つまたは複数のフレキシブル帯域幅キャリアのうちの１つを含んでよく、第２のセルは、通常帯域幅キャリアを含んでよい。いくつかの実施形態では、第１のセルは、１つまたは複数のフレキシブル帯域幅キャリアのうちの１つを含み、第２のセルは、第１のセルとは異なる、１つまたは複数のフレキシブル帯域幅キャリアのうちの１つを含む。
【００１５】
[0015]場合によっては、第１のセルは、１に等しい帯域幅スケーリング係数を含んでよく、第２のセルは、２または４に等しい帯域幅スケーリング係数を含んでよい。第１のセルは、２または４に等しい帯域幅スケーリング係数を含んでよく、第２のセルは、１に等しい帯域幅スケーリング係数を含んでよい。
【００１６】
[0016]いくつかの実施形態は、非一時的コンピュータ可読媒体を含み得る、ワイヤレス通信システムにおけるシグナリング整合のためのコンピュータプログラム製品を含み、非一時的コンピュータ可読媒体は、第１のセルのための１つもしくは複数のフィードバックメッセージを搬送する１つもしくは複数のサブフレームのためのタイミングを識別するためのコード、および／または、第１のセルのための１つもしくは複数のフィードバックメッセージを搬送する１つもしくは複数のサブフレームと整合するように、第２のセルのための１つもしくは複数のフィードバックメッセージを搬送する１つもしくは複数のサブフレームのためのタイミングを調整するコードを含み得る。少なくとも第１のセルまたは第２のセルは、１つまたは複数のフレキシブル帯域幅キャリアのうちの少なくとも１つを含み得る。いくつかの実施形態では、１つまたは複数のフィードバックメッセージは、少なくともＡＣＫメッセージまたはＮＡＣＫメッセージを含む。
【００１７】
[0017]第２のセルのための１つまたは複数のサブフレームのためのタイミングを調整するためのコードは、スタンドアロンキャリアセルに対して、１つまたは複数のフィードバックメッセージ第２のセルのための遅延を低減し得る。第２のセルのための１つまたは複数のサブフレームのためのタイミングを調整するためのコードは、第２のセルの帯域幅が第１のセルのフレキシブル帯域幅よりも大きいとき、第１のセルと第２のセルの両方のための１つまたは複数のフィードバックメッセージのために使用されるリソースの容量を増加させるためのコードを含み得る。第２のセルのための１つまたは複数のサブフレームのためのタイミングを調整するためのコードは、第２のセルのフレキシブル帯域幅が第１のセルの帯域幅未満であるとき、第１のセルと第２のセルの両方のための１つまたは複数のフィードバックメッセージのために使用されるリソースの容量を減少させるためのコードを含み得る。
【００１８】
[0018]このコンピュータプログラム製品のいくつかの実施形態では、第１のセルは、通常帯域幅キャリアを含み、第２のセルは、１つまたは複数のフレキシブル帯域幅キャリアのうちの１つを含む。いくつかの実施形態では、第１のセルは、１つまたは複数のフレキシブル帯域幅キャリアのうちの１つを含んでよく、第２のセルは、通常帯域幅キャリアを含んでよい。いくつかの実施形態では、第１のセルは、１つまたは複数のフレキシブル帯域幅キャリアのうちの１つを含み、第２のセルは、第１のセルとは異なる、１つまたは複数のフレキシブル帯域幅キャリアのうちの１つを含む。
【００１９】
[0019]場合によっては、第１のセルは、１に等しい帯域幅スケーリング係数を含んでよく、第２のセルは、２または４に等しい帯域幅スケーリング係数を含んでよい。第１のセルは、２または４に等しい帯域幅スケーリング係数を含んでよく、第２のセルは、１に等しい帯域幅スケーリング係数を含んでよい。
【００２０】
[0020]いくつかの実施形態は、ワイヤレス通信システムにおけるシグナリング整合のために構成されたワイヤレス通信デバイスを含む。このデバイスは、少なくとも１つのプロセッサを含んでよく、少なくとも１つのプロセッサは、第１のセルのための１つもしくは複数のフィードバックメッセージを搬送する１つもしくは複数のサブフレームのためのタイミングを識別すること、および／または、第１のセルのための１つもしくは複数のフィードバックメッセージを搬送する１つもしくは複数のサブフレームと整合するように、第２のセルのための１つもしくは複数のフィードバックメッセージを搬送する１つもしくは複数のサブフレームのためのタイミングを調整することを行うように構成され得る。少なくとも第１のセルまたは第２のセルは、１つまたは複数のフレキシブル帯域幅キャリアのうちの少なくとも１つを含み得る。いくつかの実施形態では、１つまたは複数のフィードバックメッセージは、少なくともＡＣＫメッセージまたはＮＡＣＫメッセージを含む。
【００２１】
[0021]第２のセルのための１つまたは複数のサブフレームのためのタイミングを調整することは、スタンドアロンキャリアセルに対して、第２のセルのための１つまたは複数のフィードバックメッセージのための遅延を低減し得る。第２のセルのための１つまたは複数のサブフレームのためのタイミングを調整することは、第２のセルの帯域幅が第１のセルのフレキシブル帯域幅よりも大きいとき、第１のセルと第２のセルの両方のための１つまたは複数のフィードバックメッセージのために使用されるリソースの容量における増加を含み得る。第２のセルのための１つまたは複数のサブフレームのためのタイミングを調整することは、第２のセルのフレキシブル帯域幅が第１のセルの帯域幅未満であるとき、第１のセルと第２のセルの両方のための１つまたは複数のフィードバックメッセージのために使用されるリソースの容量における減少を含み得る。。
【００２２】
[0022]このデバイスのいくつかの実施形態では、第１のセルは、通常帯域幅キャリアを含み、第２のセルは、１つまたは複数のフレキシブル帯域幅キャリアのうちの１つを含む。いくつかの実施形態では、第１のセルは、１つまたは複数のフレキシブル帯域幅キャリアのうちの１つを含んでよく、第２のセルは、通常帯域幅キャリアを含んでよい。いくつかの実施形態では、第１のセルは、１つまたは複数のフレキシブル帯域幅キャリアのうちの１つを含み、第２のセルは、第１のセルとは異なる、１つまたは複数のフレキシブル帯域幅キャリアのうちの１つを含む。
【００２３】
[0023]場合によっては、第１のセルは、１に等しい帯域幅スケーリング係数を含んでよく、第２のセルは、２または４に等しい帯域幅スケーリング係数を含んでよい。第１のセルは、２または４に等しい帯域幅スケーリング係数を含んでよく、第２のセルは、１に等しい帯域幅スケーリング係数を含んでよい。
【００２４】
[0024]上記では、以下の発明を実施するための形態がより良く理解され得るように、本開示による例の特徴および技術的利点についてやや広く概説した。さらなる特徴および利点について、以下で説明する。開示される概念および具体例は、本開示の同じ目的を遂行するための他の構造を変更または設計するための基礎として容易に利用され得る。そのような等価な構成は、添付の特許請求の範囲の趣旨および範囲から逸脱しない。関連する利点とともに、本明細書で開示される概念の編成と動作の方法の両方に関して、それらの概念を特徴づけると考えられる特徴は、添付の図に関連して以下の説明を検討するとより良く理解されよう。図の各々は、例示および説明のみの目的で与えられ、特許請求の範囲の限界を定めるものではない。
【００２５】
[0025]本発明の性質および利点のさらなる理解は、以下の図面を参照して実現され得る。添付の図では、同様の構成要素または特徴は同じ参照ラベルを有する場合がある。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図面の簡単な説明】
【００２６】
【図１】[0026]様々な実施形態によるワイヤレス通信システムのブロック図。
【図２Ａ】[0027]様々な実施形態による、通常波形に適合するのに十分広くないスペクトルの一部分に、スケーラブル帯域幅波形とも呼ばれるフレキシブル帯域幅波形が適合する、ワイヤレス通信システムの一例を示す図。
【図２Ｂ】[0028]様々な実施形態による、フレキシブル帯域幅波形が帯域端の近くのスペクトルの一部分に適合する、ワイヤレス通信システムの一例を示す図。
【図３】[0029]様々な実施形態によるワイヤレス通信システムのブロック図。
【図４Ａ】[0030]様々な実施形態による、異なるスケーリング係数を有する２つのチャネルのフレームタイミング図。
【図４Ｂ】[0031]様々な実施形態による、異なるスケーリング係数を有する２つのチャネルのフレームタイミング図。
【図４Ｃ】[0032]様々な実施形態による、異なるスケーリング係数を有する２つのチャネルのフレームタイミング図。
【図４Ｄ】[0033]様々な実施形態による、異なるスケーリング係数を有する２つのチャネルのフレームタイミング図。
【図４Ｅ】[0034]様々な実施形態による、異なるスケーリング係数を有する２つのチャネルのフレームタイミング図。
【図４Ｆ】[0035]様々な実施形態による、異なるスケーリング係数を有する２つのチャネルのフレームタイミング図。
【図５Ａ】[0036]様々な実施形態による、（１つまたは複数の）フレキシブル帯域幅キャリアを利用するマルチキャリアシステムにおける、シグナリング整合のために構成されたデバイスのブロック図。
【図５Ｂ】[0037]様々な実施形態による、（１つまたは複数の）フレキシブル帯域幅キャリアを利用するマルチキャリアシステムにおける、シグナリング整合のために構成された別のデバイスのブロック図。
【図６】[0038]様々な実施形態によって構成された通信システムのブロック図。
【図７】[0039]様々な実施形態によって構成されたユーザ機器のブロック図。
【図８】[0040]様々な実施形態による、基地局とユーザ機器とを含むワイヤレス通信システムのブロック図。
【図９Ａ】[0041]様々な実施形態による、（１つまたは複数の）フレキシブル帯域幅キャリアを利用するマルチキャリアシステムにおける、シグナリング整合の方法の流れ図。
【図９Ｂ】[0042]様々な実施形態による、（１つまたは複数の）フレキシブル帯域幅キャリアを利用するマルチキャリアシステムにおける、シグナリング整合の別の方法の流れ図。
【発明を実施するための形態】
【００２７】
[0043]１つまたは複数のフレキシブル帯域幅キャリアを利用し得るマルチキャリアシステムのためのシグナリング整合のための方法、システム、およびデバイスが提供される。たとえば、１つもしくは複数の通常帯域幅キャリアと、１つもしくは複数のフレキシブル帯域幅キャリアとを利用し得るマルチキャリアシステム、および／または、複数の異なるフレキシブル帯域幅キャリアを利用し得るシステムにおける、ＡＣＫ／ＮＡＣＫメッセージなどのフィードバックメッセージに関するものなど、シグナリング整合を保証することを助け得る、ツールおよび技法が提供される。
【００２８】
[0044]シグナリング整合のための方法は、３．８４Ｍｃｐｓ（たとえば、Ｎ＝１）など、通常のチップレートをもつプライマリサービング高速ダウンリンク共有チャネル（ＨＳ−ＤＳＣＨセル）と、時間膨張された（ｔｉｍｅ  ｄｉｌａｔｅｄ）チップレート＝３．８４／２Ｍｃｐｓ（たとえば、Ｎ＝２）または３．８４／４Ｍｃｐｓ（たとえば、Ｎ＝４）を利用し得る（１つまたは複数の）セカンダリサービングＨＳ−ＤＳＣＨセルとを利用し、またはその逆も同様である、マルチキャリア高速ダウンリンクパケットアクセス（ＨＳＤＰＡ）ネットワークにおいて特に有用であり得る。提供される方法およびシステムは、適切なシグナリング整合を保証するために、プライマリサービングＨＳ−ＤＳＣＨセルのみが、プライマリサービングセルの高速専用物理制御チャネル（ＨＳ−ＤＰＣＣＨ）を介して、すべてのキャリアのためにアップリンク上で、ＡＣＫ／ＮＡＣＫメッセージなどのフィードバックメッセージを送信し得るという事実に配慮し得る。
【００２９】
[0045]ワイヤレス通信システムのためのフレキシブル帯域幅キャリアは、フレキシブル帯域幅波形を利用して、通常波形に適合するのに十分大きくないことがあるスペクトルの部分を利用し得る。フレキシブル帯域幅キャリアを利用するフレキシブル帯域幅システムは、通常帯域幅システムに対してフレキシブル帯域幅システムの時間またはチップレートを膨張させること、またはスケールダウンすることを通して、通常帯域幅システムに対して生成され得る。いくつかの実施形態は、フレキシブル帯域幅システムの時間またはチップレートを拡大、またはスケールアップすることを通して、波形の帯域幅を増大させ得る。
【００３０】
[0046]これらのフレキシブル帯域幅キャリアのうちの１つまたは複数を利用し得るマルチキャリアシステムでは、複数のキャリア間のフィードバックシグナリング、たとえば、ＡＣＫ／ＮＡＣＫシグナリングの不整合は、次いで再送信を必要とし得る、フィードバックシグナリングの不完全な受信を含む、様々な問題を引き起こし得る。再送信は、次いで、他のマルチキャリアシステムリソース（帯域幅など）の使用、フィードバックシグナリングもしくはフィードバックシグナリングの再送信を受信するための電力消費における増加、または、フィードバックシグナリングのための送信および受信のためにより多くのサブフレームの使用を必要とすることなど、時間リソースの使用の増加を必要とし得る。これらの問題は、特に、第１のセルおよび／または第２のセルが少なくとも１つのフレキシブル帯域幅キャリアを含む場合、第１のセルのためのフィードバックメッセージを搬送する１つまたは複数のサブフレームと整合するように、第２のセルのためのフィードバックメッセージを搬送する１つまたは複数のサブフレームのためのタイミングを調整することによって対処され得る。
【００３１】
[0047]１つまたは複数のフレキシブル帯域幅キャリアを利用するマルチキャリアシステムにおけるシグナリング整合のための方法およびシステムは、ＡＣＫ／ＮＡＣＫメッセージなど、第１のセルのための１つまたは複数のフィードバックメッセージを搬送する１つまたは複数のサブフレームのためのタイミングを識別することを含み得る。第２のセルのための１つまたは複数のフィードバックメッセージを搬送する１つまたは複数のサブフレームのための通信タイミングは、第１のセルのための１つまたは複数のフィードバックメッセージを搬送する１つまたは複数のサブフレームと整合するように調整され得る。シグナリング整合は、少なくとも第１のセルまたは第２のセルが少なくとも１つのフレキシブル帯域幅キャリアを含むとき、特に有用であり得る。
【００３２】
[0048]第２のセルのための１つまたは複数のサブフレームのためのタイミングを調整することは、スタンドアロンキャリアセルに対して、第２のセルのための１つまたは複数のフィードバックメッセージのための遅延を低減し得る。第２のセルのための１つまたは複数のサブフレームのためのタイミングを調整することは、第２のセルの帯域幅が第１のセルのフレキシブル帯域幅よりも大きいとき、第１のセルと第２のセルの両方のための１つまたは複数のフィードバックメッセージのために使用されるリソース（たとえば、送信時間遅延）の容量における増加を含み／必要とし得る。場合によっては、第２のセルのための１つまたは複数のサブフレームのためのタイミングを調整することは、第２のセルのフレキシブル帯域幅が第１のセルの帯域幅未満であるとき、第１のセルと第２のセルの両方のための１つまたは複数のフィードバックメッセージのために使用されるリソース（たとえば、送信時間遅延）の容量における減少を含み／必要とし得る。
【００３３】
[0049]いくつかの実施形態では、第１のセルは、通常帯域幅キャリアを含んでよく、第２のセルは、１つまたは複数のフレキシブル帯域幅キャリアのうちの１つを含んでよい。他の実施形態では、第１のセルは、フレキシブル帯域幅キャリアを含んでよく、第２のセルは、第１のセルとは異なる、１つまたは複数のフレキシブル帯域幅キャリアのうちの１つを含んでよい。場合によっては、第１のセルのフレキシブル帯域幅は、第２のセルのフレキシブル帯域幅よりも大きい。
【００３４】
[0050]シグナリング整合のための方法はまた、第１のセルが１つまたは複数のフレキシブル帯域幅キャリアを含んでよく、第２のセルが通常帯域幅キャリアを含んでよいときも、有益に実施され得る。場合によっては、第１のセルは、１つまたは複数のフレキシブル帯域幅キャリアを含んでよく、第２のセルは、第１のセルとは異なる１つまたは複数のフレキシブル帯域幅キャリアを含んでよい。第１のセルのフレキシブル帯域幅は、第２のセルのフレキシブル帯域幅未満であり得る。
【００３５】
[0051]さらに他の場合には、説明される方法は、第１のセルが１に等しい帯域幅スケーリング係数を含み、第２のセルが２または４に等しい帯域幅スケーリング係数を含む場合に実施され得る。場合によっては、第１のセルは、２または４に等しい帯域幅スケーリング係数を含んでよく、第２のセルは、１に等しい帯域幅スケーリング係数を含んでよい。
【００３６】
[0052]本明細書で説明される技法は、ＣＤＭＡ、ＴＤＭＡ、ＦＤＭＡ、ＯＦＤＭＡ、ＳＣ−ＦＤＭＡ、ピアツーピア、および他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装し得る。ＯＦＤＭＡシステムまたはＯＦＤＭシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイル電気通信システム（ＵＭＴＳ）の一部である。いくつかのシステムは、高速パケットアクセス（ＨＳＰＡ）を利用し得る。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる組織からの文書に記載されている。ＣＤＭＡ２０００およびＵＭＢは、「第３世代パートナーシッププロジェクト２」（３ＧＰＰ２）と呼ばれる組織からの文書に記載されている。本明細書で説明される技法は、上記のシステムおよび無線技術、ならびに他のシステムおよび無線技術に使用され得る。
【００３７】
[0053]したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、適宜に様々な手順または構成要素を省略、置換、または追加し得る。たとえば、説明される方法は、説明される順序と異なる順序で実行され得、様々なステップが追加、省略、または組み合わせられ得る。また、いくつかの実施形態に関して説明される特徴は、他の実施形態において組み合わせられ得る。
【００３８】
[0054]最初に図１を参照すると、ブロック図は、様々な実施形態によるワイヤレス通信システム１００の一例を示す。システム１００は、基地局１０５と、ユーザ機器１１５と、基地局コントローラ１２０と、コアネットワーク１３０とを含む（いくつかの実施形態では、コントローラ１２０はコアネットワーク１３０に組み込まれてよく、いくつかの実施形態では、コントローラ１２０は基地局１０５に組み込まれてよい）。システム１００は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送られ得、制御情報（たとえば、パイロット信号）、オーバーヘッド情報、データなどを搬送し得る。システム１００は、ネットワークリソースを効率的に割り振ることが可能なマルチキャリアＬＴＥネットワークであり得る。
【００３９】
[0055]ユーザ機器１１５は、移動局、ユーザ機器、アクセス端末、加入者ユニットまたはユーザ機器のうちの任意のタイプであってよい。ユーザ機器１１５は、携帯電話とワイヤレス通信デバイスとを含み得るが、携帯情報端末（ＰＤＡ）、スマートフォン、他のハンドヘルドデバイス、ネットブック、ノートブックコンピュータなども含み得る。したがって、ユーザ機器という用語は、任意のタイプのワイヤレスまたはモバイルの通信デバイスを含むように、特許請求の範囲を含めて以下で広く解釈されるべきである。
【００４０】
[0056]本出願全体にわたって、一部のユーザ機器は、フレキシブル帯域幅対応ユーザ機器、フレキシブル帯域幅適合ユーザ機器、および／またはフレキシブル帯域幅ユーザ機器と呼ばれ得る。これは概して、ユーザ機器がフレキシブル対応またはフレキシブル適合であることを意味し得る。一般に、これらのデバイスは、１つまたは複数の通常の無線アクセス技術（ＲＡＴ）に関する通常の機能も可能であり得る。フレキシブル対応またはフレキシブル適合を意味するものとしての、フレキシブルという用語の使用は全般に、コントローラ１２０および／または基地局１０５、または無線アクセスネットワークのためなど、システム１００の他の態様に適用可能であり得る。
【００４１】
[0057]基地局１０５は、基地局アンテナを介してユーザ機器１１５とワイヤレス通信することができる。基地局１０５は、複数のキャリアを介してコントローラ１２０の制御下でユーザ機器１１５と通信するように構成され得る。基地局１０５サイトの各々は、それぞれの地理的エリアに通信カバレージを与えることができる。いくつかの実施形態では、基地局１０５は、ノードＢ、ｅノードＢ、ホームノードＢ、および／またはホームｅノードＢと呼ばれることがある。ここでは、各基地局１０５に対するカバレージエリアは、１１０−ａ、１１０−ｂ、または１１０−ｃとして識別される。基地局に対するカバレージエリアは、セクタ（図示されないが、カバレージエリアの一部分だけを構成する）に分割され得る。システム１００は、異なるタイプの基地局１０５（たとえば、マクロ基地局、マイクロ基地局、フェムト基地局、および／またはピコ基地局）を含み得る。
【００４２】
[0058]様々な実施形態によれば、ユーザ機器１１５、基地局１０５、コアネットワーク１３０、および／またはコントローラ１２０など、システム１００の様々な態様が、フレキシブル帯域幅とフレキシブル波形とを利用するように構成され得る。システム１００は、たとえば、ユーザ機器１１５と基地局１０５との間の送信１２５を示す。送信１２５は、ユーザ機器１１５から基地局１０５へのアップリンクおよび／もしくは逆方向リンク送信、ならびに／または基地局１０５からユーザ機器１１５へのダウンリンクおよび／もしくは順方向リンク送信を含み得る。送信１２５は、フレキシブル／スケーラブル波形および／または通常波形を含み得る。通常波形は、レガシー波形および／または通常波形と呼ばれることもある。
【００４３】
[0059]様々な実施形態によれば、ユーザ機器１１５、基地局１０５、コアネットワーク１３０、および／またはコントローラ１２０など、システム１００の様々な態様が、フレキシブル帯域幅とフレキシブル波形とを利用するように構成され得る。たとえば、システム１００の様々な態様は、通常波形に適合するのに十分大きくないことがあるスペクトルの部分を利用し得る。ユーザ機器１１５、基地局１０５、コアネットワーク１３０、および／またはコントローラ１２０などのデバイスは、フレキシブル帯域幅および／またはフレキシブル波形を生成および／または利用するために、チップレート、拡散率、および／またはスケーリング係数を適合するように構成され得る。システム１００のいくつかの態様は、通常サブシステムの時間に対してフレキシブルサブシステムの時間を膨張させること、またはスケールダウンすることを通して、通常サブシステム（他のユーザ機器１１５および／または基地局１０５を使用して実装され得る）に対して生成され得る、フレキシブルサブシステム（あるユーザ機器１１５および／または基地局１０５など）を形成することができる。
【００４４】
[0060]いくつかの実施形態では、ユーザ機器１１５、基地局１０５、コアネットワーク１３０、および／またはコントローラ１２０など、システム１００の様々な態様は、第１のセルのための、ＡＣＫ／ＮＡＣＫメッセージなど、１つまたは複数のフィードバックメッセージを搬送する１つまたは複数のサブフレームのためのタイミングを識別するように構成され得る。ユーザ機器１１５、基地局１０５、コアネットワーク１３０、および／またはコントローラ１２０など、システム１００の様々な態様は、第１のセルのための１つまたは複数のフィードバックメッセージを搬送する１つまたは複数のサブフレームと整合するように、第２のセルのための１つまたは複数のフィードバックメッセージを搬送する１つまたは複数のサブフレームのためのタイミングを調整するように構成され得る。少なくとも第１のセルまたは第２のセルは、少なくとも１つまたは複数のフレキシブル帯域幅キャリアを含み得る。
【００４５】
[0061]図２Ａは、様々な実施形態による、基地局１０５−ａとユーザ機器１１５−ａとを有するワイヤレス通信システム２００−ａの一例を示し、ただし、フレキシブル帯域幅波形２１０−ａは、通常波形２２０−ａに適合するのに十分広くないスペクトルの一部分に適合する。システム２００−ａは、図１のシステム１００の一例であり得る。いくつかの実施形態では、フレキシブル帯域幅波形２１０−ａは、基地１０５−ａおよび／またはユーザ機器１１５−ａのいずれかが送信し得る通常波形２２０−ａと重複し得る。場合によっては、通常波形２２０−ａは、フレキシブル帯域幅波形２１０−ａと完全に重複し得る。いくつかの実施形態は、複数のフレキシブル帯域幅波形２１０も利用し得る。いくつかの実施形態では、別の基地局および／またはユーザ機器（図示せず）は、通常波形２２０−ａおよび／またはフレキシブル帯域幅波形２１０−ａを送信し得る。
【００４６】
[0062]図２Ｂは、基地局１０５−ｂとユーザ機器１１５−ｂとを有するワイヤレス通信システム２００−ｂの一例を示し、ただし、フレキシブル帯域幅波形２１０−ｂは、通常波形２２０−ｂが適合しないことがある、保護帯域であり得る、帯域端の近くのスペクトルの一部分に適合する。システム２００−ｂは、図１のシステム１００の一例であり得る。ユーザ機器１１５−ａ／１１５−ｂおよび／または基地局１０５−ａ／１０５−ｂは、様々な実施形態によれば、フレキシブル帯域幅波形２１０−ａ／２１０−ｂの帯域幅を動的に調整するように構成され得る。
【００４７】
[0063]いくつかの実施形態では、ユーザ機器１１５−ａおよび／もしくは１１５−ｂ、ならびに／または、基地局１０５−ａおよび／もしくは１０５−ｂなど、システム２００−ａおよび／または２００−ｂの様々な態様は、第１のセルのための１つまたは複数のフィードバックメッセージ、たとえば、ＡＣＫ／ＮＡＣＫメッセージを搬送する１つまたは複数のサブフレームのためのタイミングを識別するように構成され得る。ユーザ機器１１５−ａおよび／もしくは１１５−ｂ、ならびに／または、基地局１０５−ａおよび／もしくは１０５−ｂなど、システム２００−ａおよび／または２００−ｂの様々な態様は、第１のセルのための１つまたは複数のフィードバックメッセージを搬送する１つまたは複数のサブフレームと整合するように、第２のセルのための１つまたは複数のフィードバックメッセージを搬送する１つまたは複数のサブフレームのためのタイミングを調整するように構成され得る。少なくとも第１のセルまたは第２のセルは、１つまたは複数のフレキシブル帯域幅キャリアのうちの少なくとも１つを含み得る。
【００４８】
[0064]一般に、第１の波形またはキャリア帯域幅と、第２の波形またはキャリア帯域幅とは、少なくとも１％、２％、および／または５％重複するとき、部分的に重複し得る。いくつかの実施形態では、重複が少なくとも１０％であるとき、部分的な重複が起こり得る。いくつかの実施形態では、部分的な重複は、９９％、９８％、および／または９５％未満であり得る。いくつかの実施形態では、重複は９０％未満であり得る。場合によっては、フレキシブル帯域幅波形またはキャリア帯域幅は、別の波形またはキャリア帯域幅内に完全に含まれ得る。この重複は、２つの波形またはキャリア帯域幅が完全に一致するとは限らないので、部分的な重複を依然として反映し得る。一般に、部分的な重複は、２つ以上の波形またはキャリア帯域幅が完全に一致するとは限らないこと（すなわち、キャリア帯域幅が同一ではないこと）を意味し得る。
【００４９】
[0065]いくつかの実施形態は、電力スペクトル密度（ＰＳＤ）に基づく重複の様々な定義を利用し得る。たとえば、ＰＳＤに基づく重複の１つの定義が、第１のキャリアについての次の重複の式において示される。
【００５０】
【数１】
0006479765.tif 000002
【００５１】
この式において、ＰＳＤ1（ｆ）は、第１の波形またはキャリア帯域幅についてのＰＳＤであり、ＰＳＤ2（ｆ）は、第２の波形またはキャリア帯域幅についてのＰＳＤである。この２つの波形またはキャリア帯域幅が一致するとき、重複の式は１００％に等しくなり得る。第１の波形またはキャリア帯域幅と第２の波形またはキャリア帯域幅が少なくとも部分的に重複するとき、重複の式は１００％に等しくならないことがある。たとえば、いくつかの実施形態では、重複の式は、１％、２％、５％、および／または１０％以上の部分的な重複となり得る。いくつかの実施形態では、重複の式は、９９％、９８％、９５％、および／または９０％以下の部分的な重複となり得る。第１の波形またはキャリア帯域幅が通常波形またはキャリア帯域幅であり、第２の波形またはキャリア波形が、通常帯域幅またはキャリア帯域幅内に含まれるフレキシブル帯域幅波形またはキャリア帯域幅である場合、重複の式は、百分率として書かれる、通常帯域幅と比較されたフレキシブル帯域幅の比率を表し得ることに、留意することができる。さらに、重複の式は、重複の式がどのキャリア帯域幅の観点に関して定式化されるかに依存し得る。いくつかの実施形態は、重複の他の定義を利用し得る。場合によっては、別の重複が、次のような平方根演算を利用して定義され得る。
【００５２】
【数２】
0006479765.tif 000003
【００５３】
他の実施形態は、複数の重複するキャリアを考慮し得る、他の重複の式を利用することができる。
【００５４】
[0066]図３は、様々な実施形態による、基地局１０５−ｃとユーザ機器１１５−ｃとを有するワイヤレス通信システム３００を示す。ユーザ機器１１５−ｃおよび／または基地局１０５−ｃなど、システム３００の様々な態様は、１つまたは複数のフレキシブル帯域幅キャリアを含む複数のキャリアを利用し得るシステム３００におけるシグナリング整合のために構成され得る。
【００５５】
[0067]ユーザ機器１１５−ｃと基地局１０５−ａとの間の送信３０５−ａおよび／または３０５−ｂは、通常波形、および／または、通常波形よりも少量の（または多量の）帯域幅を占有するように生成され得るフレキシブル帯域幅波形を利用し得る。たとえば、帯域端において、通常波形を配置するのに十分な利用可能なスペクトルがないことがある。フレキシブル帯域幅波形では、時間が膨張されるにつれて、波形によって占有される周波数が減少するので、通常波形に適合するのに十分広くない可能性があるスペクトルにフレキシブル帯域幅波形を適合させることが可能になる。いくつかの実施形態では、フレキシブル帯域幅波形は、通常波形に対してスケーリング係数Ｎを利用してスケーリングされ得る。スケーリング係数Ｎは、限定はされないが、１、２、３、４、８などの整数値を含む、多数の異なる値をとり得る。ただし、Ｎは、整数である必要はない。場合によっては、送信３０５−ａは、プライマリサービングセルに関するものであってよく、送信３０５−ｂは、セカンダリサービングセルに関するものであってよい。
【００５６】
[0068]ユーザ機器１１５−ｃおよび／または基地局１０５−ｃなど、システム３００の様々な態様は、プライマリサービングセルなど、第１のセルのための１つまたは複数のフィードバックメッセージ、たとえば、ＡＣＫ／ＮＡＣＫメッセージを搬送する１つまたは複数のサブフレームのためのタイミングを識別するために構成され得る。ユーザ機器１１５−ｃおよび／または基地局１０５−ｃは、第１のセルのための１つまたは複数のフィードバックメッセージを搬送する１つまたは複数のサブフレームと整合するように、セカンダリサービングセルであり得る、第２のセルのための１つまたは複数のフィードバックメッセージを搬送する１つまたは複数のサブフレームのためのタイミングを調整し得る。少なくとも第１のセルまたは第２のセルは、１つまたは複数のフレキシブルまたはスケーラブル帯域幅キャリアのうちの少なくとも１つを含み得る。
【００５７】
[0069]いくつかの実施形態では、第２のセルのための１つまたは複数のサブフレームのためのタイミングを調整することは、スタンドアロンキャリアセルに対して、第２のセルのための１つまたは複数のフィードバックメッセージのための遅延を低減する。いくつかの実施形態では、第２のセルのための１つまたは複数のサブフレームのためのタイミングを調整することは、第２のセルの帯域幅が第１のセルのフレキシブル帯域幅よりも大きいとき、第１のセルと第２のセルの両方のための１つまたは複数のフィードバックメッセージのために使用されるリソースの容量における増加を含み、および／または必要とし得る。いくつかの実施形態では、第２のセルのための１つまたは複数のサブフレームのためのタイミングを調整することは、第２のセルのフレキシブルまたはスケーラブル帯域幅が第１のセルの帯域幅未満であるとき、第１のセルと第２のセルの両方のための１つまたは複数のフィードバックメッセージのために使用されるリソースの容量における減少を含み得、および／または必要とし得る。
【００５８】
[0070]いくつかの実施形態では、送信３０５−ａは、通常帯域幅キャリアを含んでよく、送信３０５−ｂは、１つまたは複数のフレキシブルまたはスケーラブル帯域幅キャリアのうちの１つを含んでよい。いくつかの実施形態では、送信３０５−ａは、フレキシブル帯域幅キャリアを含んでよく、送信３０５−ｂは、第１のセルとは異なる、１つまたは複数のフレキシブル帯域幅キャリアのうちの１つを含んでよい。
【００５９】
[0071]いくつかの実施形態では、送信３０５−ａは、１つまたは複数のフレキシブル帯域幅キャリアのうちの１つを含み、送信３０５−ｂは、通常帯域幅キャリアを含む。いくつかの実施形態では、送信３０５−ａは、１つまたは複数のフレキシブル帯域幅キャリアのうちの１つを含み、送信３０５−ｂは、第１のセルとは異なる、１つまたは複数のフレキシブル帯域幅キャリアのうちの１つを含む。
【００６０】
[0072]いくつかの実施形態では、送信３０５−ａは、１に等しい帯域幅スケーリング係数を含み、送信３０５−ｂは、２または４に等しい帯域幅スケーリング係数を含む。他の実施形態では、送信３０５−ａは、２または４に等しい帯域幅スケーリング係数を含み、送信３０５−ｂは、１に等しい帯域幅スケーリング係数を含む。
【００６１】
[0073]たとえば、システム３００は、３．８４Ｍｃｐｓ（たとえば、Ｎ＝１）など、通常のチップレートをもつプライマリサービング高速ダウンリンク共有チャネル（ＨＳ−ＤＳＣＨセル）と、時間膨張されたチップレート＝３．８４／２Ｍｃｐｓ（たとえば、Ｎ＝２）または３．８４／４Ｍｃｐｓ（たとえば、Ｎ＝４）を利用し得る（１つまたは複数の）セカンダリサービングＨＳ−ＤＳＣＨセルとを利用し得、またはその逆も同様である、マルチキャリア高速ダウンリンクパケットアクセス（ＨＳＤＰＡ）ネットワークの一例であり得る。本明細書で説明される方法およびシステムは、適切なシグナリング整合を保証するために、プライマリサービングＨＳ−ＤＳＣＨセルのみが、プライマリサービングセルの高速専用物理制御チャネル（ＨＳ−ＤＰＣＣＨ）を介して、すべてのキャリアのためにアップリンク上でフィードバックメッセージを送信し得るという事実に配慮し得る。
【００６２】
[0074]いくつかの実施形態は、追加の用語を利用し得る。新しい単位Ｄが利用され得る。単位Ｄは、膨張されたものである。この単位は、無名数（unitless）であり、Ｎの値を有する。「膨張された時間（dilated time）」に関して、フレキシブルシステムにおける時間について語ることができる。たとえば、通常時間においてたとえば１０ｍｓのスロットは、フレキシブル時間では１０Ｄｍｓと表され得る（注意：通常時間であっても、これは、通常時間でＮ＝１なので真であり、Ｄは１の値を有し、したがって１０Ｄｍｓ＝１０ｍｓである）。時間スケーリングにおいて、ほとんどの「秒」を「膨張秒（dilated-second）」で置き換えることができる。ヘルツ単位の周波数は１／ｓであることに留意されたい。
【００６３】
[0075]上記で説明されたように、フレキシブル帯域幅波形またはスケーラブル帯域幅波形は、通常波形よりも少量の帯域幅を占有する波形であり得る。したがって、フレキシブル帯域幅システムでは、同数のシンボルおよびビットが、通常帯域幅システムと比較してより長い持続時間にわたって送信され得る。このことは、時間伸張を生じ得、それによって、スロット持続時間、フレーム持続時間などが、スケーリング係数Ｎだけ増加し得る。スケーリング係数Ｎは、通常帯域幅とフレキシブル帯域幅（ＢＷ）の比を表し得る。したがって、フレキシブル帯域幅システムにおけるデータレートは（通常レート×１／Ｎ）に等しくなり得るとともに、遅延は（通常遅延×Ｎ）に等しくなり得る。一般に、フレキシブルシステムチャネルＢＷ＝通常システムのチャネルＢＷ／Ｎである。遅延×ＢＷは不変のままであり得る。さらに、いくつかの実施形態では、フレキシブル帯域幅波形は、通常波形よりも多くの帯域幅を占有する波形であり得る。スケーリング係数Ｎはまた、帯域幅スケーリング係数と呼ばれることもある。
【００６４】
[0076]本明細書全体にわたって、通常システム、通常サブシステム、および／または通常波形という用語は、１に等しくなり得るスケーリング係数（たとえば、Ｎ＝１）または通常もしくは標準チップレートを利用し得る実施形態を伴うシステム、サブシステム、および／または波形を指すために利用され得る。これらの通常システム、通常サブシステム、および／または通常波形は、標準および／もしくはレガシーシステム、標準および／もしくはレガシーサブシステム、ならびに／または標準および／もしくはレガシー波形と呼ばれることもある。さらに、フレキシブルシステム、フレキシブルサブシステム、および／またはフレキシブル波形は、１に等しくないことがあるスケーリング係数（たとえば、Ｎ＝２、４、８、１／２、１／４など）を利用し得る実施形態を伴うシステム、サブシステム、および／または波形を指すために利用され得る。Ｎ＞１では、またはチップレートが低下した場合、波形の帯域幅は減少し得る。いくつかの実施形態は、帯域幅を増大させるスケーリング係数またはチップレートを利用し得る。たとえば、Ｎ＜１である場合、またはチップレートが上昇した場合、波形は通常波形よりも広い帯域幅をカバーするように拡大され得る。いくつかの実施形態は、いくつかの実施形態におけるチップレートを変更するために、チップレート除数（Ｄｃｒ）を利用し得る。フレキシブルシステム、フレキシブルサブシステム、および／またはフレキシブル波形は、場合によっては、スケーラブルシステム、スケーラブルサブシステム、および／またはスケーラブル波形と呼ばれることもある。フレキシブルシステム、フレキシブルサブシステム、および／またはフレキシブル波形は、場合によっては、フラクショナルシステム、フラクショナルサブシステム、および／またはフラクショナル波形と呼ばれることもある。フラクショナルシステム、フラクショナルサブシステム、および／またはフラクショナル波形は、たとえば、帯域幅を変更することも変更しないこともある。フラクショナルシステム、フラクショナルサブシステム、またはフラクショナル波形は、それが通常もしくは標準システム、通常もしくは標準サブシステム、または通常もしくは標準波形（たとえば、Ｎ＝１システム）よりも多くの可能性を提供し得るので、フレキシブルであり得る。さらに、フレキシブルという用語の使用はまた、フレキシブル帯域幅に対応することを意味するために利用され得る。
【００６５】
[0077]次に図４Ａ〜図４Ｆを参照すると、フレームタイミング図は、様々な実施形態による、１つまたは複数のフレキシブル帯域幅キャリアを利用するマルチキャリアシステムにおいて、シグナリング整合機能を含む、複数の構成４００と、４００−ａと、４００−ｂと、４００−ｃと、４００−ｄと、４００−ｅと（構成４００と総称される）を示す。構成４００は、図１、図２Ａ、図２Ｂ、および図３の基地局１０５、図１、図２Ａ、図２Ｂ、図３のユーザ機器１１５、ならびに／または、図１のコントローラ１２０／コアネットワーク１３０のうちの、全部または一部を含む様々なワイヤレスエンティティによって実装された、シグナリング整合の例であり得る。図４Ａ〜図４Ｆの間の共通の態様について全般的に説明し、各図の詳細について、次いで別個に説明する。
【００６６】
[0078]いくつかの実施形態では、構成４００は、高速ダウンリンクパケットアクセス（ＨＳＤＰＡ）を利用するワイヤレス通信システムにおいて実装され得る。高速ダウンリンク共有チャネル（ＨＳ−ＤＳＣＨ）など、プライマリサービングセル４０５は、Ｎ＝１のスケーリング係数を有し得る。同じくＨＳ−ＤＳＣＨセルであり得る、セカンダリサービングセル４１５は、Ｎ＝２またはＮ＝４のスケーリング係数を有し得る。反対に、いくつかの実施形態では、プライマリサービングセル４０５が、Ｎ＝２またはＮ＝４のスケーリング係数を有してよく、セカンダリサービングセル４１５が、Ｎ＝１のスケーリング係数を有してよい。
【００６７】
[0079]いくつかの実施形態では、プライマリサービングセル４０５は、プライマリ共通パイロットチャネル（Ｐ−ＣＰＩＣＨ）４０６、プライマリ共通制御物理チャネル（Ｐ−ＣＣＰＣＨ）４０７、専用物理チャネル（ＤＰＣＨ）４０８、アップリンク専用制御チャネル／専用物理データチャネル（ＵＬ−ＤＰＣＣＨ／ＤＰＤＣＨ）４０９、高速共有制御チャネル（ＨＳ−ＳＣＣＨ）４１１、高速物理ダウンリンク共有チャネル（ＨＳ−ＰＤＳＣＨ）４１２、および／またはアップリンク高速専用物理制御チャネル（ＨＳ−ＤＰＣＣＨ1）４１３など、複数のチャネルを含み得る。ＨＳ−ＤＰＣＣＨ1４１３は、プライマリサービングセル４０５のための、および／またはセカンダリサービングセル４１５のためのＡＣＫ／ＮＡＣＫメッセージなどのフィードバックメッセージを含む、フィードバック情報を搬送し得る。いくつかの実施形態では、ＨＳ−ＤＰＣＣＨ1４１３は、ＨＳ−ＰＤＳＣＨ４１２のための、および／または、セカンダリセル４１５に関連付けられたＨＳ−ＰＤＳＣＨ４１８のためのフィードバック情報を搬送し得る。これらのチャネルのうちのいくつかは、サブフレームを介して表され得る。たとえば、ＨＳ−ＳＣＣＨ４１１、ＨＳ−ＰＤＳＣＨ４１２、およびＨＳ−ＤＰＣＣＨ1４１３は、それぞれ、＃０サブフレームから＃４サブフレームなどを送信し得る。構成に応じて、これらの様々なチャネルのタイミング関係は、以下で説明されるように変動し得る。
【００６８】
[0080]いくつかの実施形態では、セカンダリサービングセル４１５もまた、Ｐ−ＣＰＩＣＨ４１６、ＨＳ−ＳＣＣＨ４１７、および／またはＨＳ−ＰＤＳＣＨ４１８など、複数のチャネルを含み得る。セカンダリセルはまた、ＨＳ−ＰＤＳＣＨ４１８のためのものなど、セカンダリサービングセル４１５のためのフィードバック情報を搬送するために使用され得るＨＳ−ＤＰＣＣＨ2４１９を含み得る。いくつかの実施形態では、セカンダリサービングセル４１５のためのフィードバックメッセージングは、送信のために、プライマリサービングセル４０５へ伝達されるが、セル間の時間スケーリング差のために遅延され得る。いくつかの実施形態では、ＨＳ−ＰＤＳＣＨ４１８のためのフィードバック情報は、ＨＳ−ＤＰＣＣＨ1４１３上で送られ得る。これらのチャネルのうちのいくつかは、サブフレームを介して表され得る。たとえば、ＨＳ−ＳＣＣＨ４１７、ＨＳ−ＰＤＳＣＨ４１８、およびＨＳ−ＤＰＣＣＨ2４１９は、それぞれ、＃０サブフレームから＃４サブフレームなどを有し得る。構成に応じて、これらの様々なチャネルのタイミング関係は、以下で説明されるように変動し得る。
【００６９】
[0081]いくつかの実施形態では、たとえば、０に等しい第１の無線フレーム４２０、たとえばＳＦＮモジュロ２、および、１に等しい第２の無線フレーム４２５、たとえばＳＦＮモジュロ２など、様々な無線フレームが、Ｐ−ＣＣＰＣＨ４０７上で送信され得る。ｎ番目のＤＰＣＨ４０８上のフレームは、Ｐ−ＣＣＰＣＨ４０７およびＰ−ＣＰＩＣＨ４０６に対して、開始時間遅延τＤＰＣＨ，ｎの後、送信を開始し得る。ＵＬ−ＤＰＣＣＨ／ＤＰＤＣＨ４０９上のフレームは、ｎ番目のＤＰＣＨ４０８サブフレームが送信を開始してから時間Ｔｏ４３０の後、開始し得る。いくつかの実施形態では、ＨＳ−ＰＤＳＣＨ４１２上のサブフレームは、ＨＳ−ＳＣＣＨ４１１上のサブフレームから時間４３５の後、送信を開始し得る。
【００７０】
[0082]いくつかの実施形態では、ＨＳ−ＤＰＣＣＨ1４１３上のサブフレームは、ＨＳ−ＰＤＳＣＨ４１２上のサブフレームから時間４４０の後、送信され得る。場合によっては、この遅延は、＃１サブフレームの開始時間に対して測定され得る。
【００７１】
[0083]いくつかの実施形態では、ＨＳ−ＰＤＳＣＨ４１８上のサブフレームは、ＨＳ−ＳＣＣＨ４１７上のサブフレームから時間４４５の後、送信され得る。場合によっては、この遅延は、＃０サブフレームの開始時間に対して測定され得る。
【００７２】
[0084]いくつかの実施形態では、異なるスケーリング係数を有するプライマリサービングセル４０５およびセカンダリサービングセル４１５なので、様々なチャネル上のそれぞれのサブフレームの開始時間は、不整合にされ得る。たとえば、プライマリサービングセル４０５のＨＳ−ＰＤＳＣＨ４１２上のサブフレームの開始時間は、セカンダリサービングセル４１５のＨＳ−ＰＤＳＣＨ４１８上のサブフレームの開始時間からオフセットされ得る。これは、セカンダリサービングセル４１５  ＨＳ−ＤＰＣＣＨ2４１９上のフィードバックメッセージングが、プライマリサービングセル４０５  ＨＳ−ＤＰＣＣＨ1４１３上のフィードバックメッセージングからオフセット４５０だけオフセットされることを引き起こし得る。いくつかの実施形態では、セカンダリサービングセル４１５がＨＳ−ＤＰＣＣＨを有していないことがあるので、通常はＨＳ−ＤＰＣＣＨ2４１９上で送られることになるフィードバックメッセージングが、ＨＳ−ＤＰＣＣＨ1４１３上で送られ得る。図４Ａ〜図４Ｆでは、プライマリサービングセル４０５およびセカンダリサービングセル４１５のうちの少なくとも１つの時間の膨張が、ＨＳ−ＰＤＳＣＨ４１２のサブフレーム＃１の開始とＨＳ−ＤＰＣＣＨ1４１３のサブフレーム０の開始との間の遅延時間４４０を、ＨＳ−ＰＤＳＣＨ４１８のサブフレーム＃１の開始とＨＳ−ＤＰＣＣＨ2４１９のサブフレーム０の開始との間の遅延時間４５５とは異なるようにする結果である、時間オフセット４５０をより適切に示すために、ＨＳ−ＤＰＣＣＨ1４１３がＨＳ−ＤＰＣＣＨ2４１９に隣接してマッピングされる。
【００７３】
[0085]詳細には、図４Ａは、プライマリサービングセル４０５について、Ｎ＝１、および、セカンダリサービングセル４１５について、Ｎ＝２である、構成４００を示す。プライマリサービングセル４０５について、ｎ番目のＤＰＣＨ４０８のフレームの開始時間後のＵＬ  ＤＰＣＣＨ／ＤＰＤＣＨ４０９上のフレームの開始のための開始遅延Ｔｏ４３０は、１０２４チップまたは２６６．６７μｓに等しくなり得る。ＨＳ−ＰＤＳＣＨ４１２上のサブフレームは、ＨＳ−ＳＣＣＨ４１１上のサブフレームから時間４３５、たとえば、１．３３ｍｓに相当し得る２スロットの後、送信を開始し得る。いくつかの実施形態では、ＨＳ−ＤＰＣＣＨ４１３上のサブフレームは、ＨＳ−ＰＤＳＣＨ４１２上のサブフレームの後、送信され得る。場合によっては、この遅延４４０は、＃１サブフレームの開始時間に対して測定されてよく、７．５スロット＋０から２５５チップ、または、Ｎ＝１では、５．０ｍｓ＋０から６６．４μｓの範囲内であり得る。ＨＳ−ＰＤＳＣＨ４１８上のサブフレームは、ＨＳ−ＳＣＣＨ４１７上のサブフレームの後、送信され得る。場合によっては、この遅延４４５は、＃０サブフレームの開始時間に対して測定されてよく、２膨張スロット（ｄｉｌａｔｅｄ  ｓｌｏｔ）、または、Ｎ＝２セルでは、２．６７ｍｓに等しくなり得る。
【００７４】
[0086]いくつかの実施形態では、セカンダリサービングセル４１５のための時間４５５は、７．５膨張スロット＋（０から２５５）膨張チップ（ｄｉｌａｔｅｄ  ｃｈｉｐ）、または１０．０ｍｓ＋（０から１３２．８）μｓであり得る。これは、ＨＳ−ＰＤＳＣＨ４１２のサブフレーム＃１の開始とＨＳ−ＤＰＣＣＨ1４１３のサブフレーム０の開始との間の、プライマリサービングセルのための対応する時間４４０とは異なるので、ＨＳ−ＤＰＣＣＨ1４１３と潜在的なＨＳ−ＤＰＣＣＨ2４１９との間の遅延４５０が存在し得る。たとえば、遅延４５０は、０．５スロットまたは０．３３ｍｓに等しくなり得る。プライマリおよびサービングセル４０５と４１５との間のこのオフセットを識別し、考慮に入れ、オフセット４５０に基づいて、セカンダリサービングセル４１５のための開始時間を調整することによって、プライマリサービングセル４０５およびセカンダリサービングセル４１５のフィードバックシグナリングが整合され得る。たとえば、場合によっては、これは、そうでない場合よりも０．３３ｍｓ早く、セカンダリサービングセル４１５のためのフィードバックの送信を開始すること、すなわち、プライマリサービングセル４０５とセカンダリサービングセル４１５との間の遅延４５０を除去することを含み得る。
【００７５】
[0087]いくつかの実施形態では、たとえば、４つのＡＣＫ／ＮＡＣＫがＨＳ−ＤＰＣＣＨ1４１３上で構成される場合、１つのＮ＝１  ＨＳ−ＤＰＣＣＨ1４１３でのセカンダリサービングＮ＝２  ＨＳ−ＤＳＣＨセル４１５の最大数は、３である。
【００７６】
[0088]次に図４Ｂを参照すると、タイミング図は、プライマリサービングセル４０５−ａについて、Ｎ＝１、および、セカンダリサービングセル４１５−ａについて、Ｎ＝４である、構成４００−ａを示す。プライマリサービングセル４０５−ａについて、ｎ番目のＤＰＣＨ４０８のフレームの開始時間後のＵＬ  ＤＰＣＣＨ／ＤＰＤＣＨ４０９上のフレームの開始のための開始遅延Ｔｏ４３０−ａは、１０２４チップまたは２６６．６７μｓに等しくなり得る。ＨＳ−ＰＤＳＣＨ４１２上のサブフレームは、ＨＳ−ＳＣＣＨ４１１上のサブフレームから時間４３５−ａ、たとえば、１．３３ｍｓに相当し得る２スロットの後、送信を開始し得る。いくつかの実施形態では、ＨＳ−ＤＰＣＣＨ４１３上のサブフレームは、ＨＳ−ＰＤＳＣＨ４１２上のサブフレームの後、送信され得る。場合によっては、この遅延４４０−ａは、サブフレーム１の開始時間に対して測定されてよく、７．５スロット＋０から２５５チップ、または、Ｎ＝１では、５．０ｍｓ＋０から６６．４μｓの範囲内であり得る。ＨＳ−ＳＣＣＨ４１７上のサブフレームは、ＨＳ−ＰＤＳＣＨ４１８上のサブフレームの後、送信され得る。場合によっては、この遅延４４５−ａは、サブフレーム０の開始時間に対して測定されてよく、２膨張スロット、または、Ｎ＝２セルでは、５．３３ｍｓに等しくなり得る。
【００７７】
[0089]いくつかの実施形態では、セカンダリサービングセル４１５−ａのための時間４５５−ａは、７．５膨張スロット＋（０から２５５）膨張チップ、または２０．０ｍｓ＋（０から２６５．６）μｓであり得る。これは、ＨＳ−ＰＤＳＣＨ４１２のサブフレーム１の開始とＨＳ−ＤＰＣＣＨ1４１３のサブフレーム０の開始との間の、プライマリサービングセル４０５−ａのための対応する時間４４０−ａとは異なるので、ＨＳ−ＤＰＣＣＨ1４１３と潜在的なＨＳ−ＤＰＣＣＨ2４１９との間の遅延４５０−ａが存在し得る。たとえば、遅延４５０−ａは、１．５スロットまたは１．０ｍｓに等しくなり得る。プライマリおよびサービングセル４０５−ａと４１５−ａとの間のこのオフセットを考慮に入れ、オフセット４５０−ａに基づいて、セカンダリサービングセル４１５−ａのための開始時間を調整することによって、プライマリサービングセル４０５−ａおよびセカンダリサービングセル４１５−ａのフィードバックシグナリングが整合され得る。たとえば、場合によっては、これは、そうでない場合よりも１．０ｍｓ早く、セカンダリサービングセル４１５−ａのためのフィードバックの送信を開始すること、すなわち、プライマリサービングセル４０５とセカンダリサービングセル４１５との間の遅延４５０を除去することを含み得る。
【００７８】
[0090]いくつかの実施形態では、たとえば、４つのＡＣＫ／ＮＡＣＫがＨＳ−ＤＰＣＣＨ1４１３上で構成される場合、１つのＮ＝１  ＨＳ−ＤＰＣＣＨ1４１３でのセカンダリサービングＮ＝４  ＨＳ−ＤＳＣＨセル４１５−ａの最大数は、３である。
【００７９】
[0091]次に図４Ｃを参照すると、タイミング図は、プライマリサービングセル４０５−ｂについて、Ｎ＝２、および、セカンダリサービングセル４１５−ｂについて、Ｎ＝１である、構成４００−ｂを示す。プライマリサービングセル４０５−ｂについて、ｎ番目のＤＰＣＨ４０８のフレームの開始時間後のＵＬ  ＤＰＣＣＨ／ＤＰＤＣＨ４０９上のフレームの開始のための開始遅延Ｔｏ４３０−ｂは、１０２４膨張チップ、または５３３．３３μｓに等しくなり得る。ＨＳ−ＰＤＳＣＨ４１２上のサブフレームは、ＨＳ−ＳＣＣＨ４１１上のサブフレームから時間４３５−ｂ、たとえば、２．６７ｍｓに相当し得る２膨張スロットの後、送信を開始し得る。いくつかの実施形態では、ＨＳ−ＤＰＣＣＨ４１３上のサブフレームは、ＨＳ−ＰＤＳＣＨ４１２上のサブフレームの後、送信され得る。場合によっては、この遅延４４０−ｂは、サブフレーム１の開始時間に対して測定されてよく、７．５膨張スロット＋（０から２５５）膨張チップ、または、１０．０ｍｓ＋（０から１３２．８）μｓの範囲内であり得る。ＨＳ−ＰＤＳＣＨ４１８上のサブフレームは、ＨＳ−ＳＣＣＨ４１７上のサブフレームの後、送信され得る。場合によっては、この遅延４４５−ｂは、サブフレーム０の開始時間に対して測定されてよく、２スロット、または、Ｎ＝１セルでは、１．３３ｍｓに等しくなり得る。
【００８０】
[0092]いくつかの実施形態では、ＨＳ−ＰＤＳＣＨ４１８上のサブフレーム０のための送信時間の終了と、フィードバック情報を搬送し得る潜在的なＨＳ−ＤＰＣＣＨ2４１９上のサブフレーム０の開始との間の時間を表し得る、セカンダリサービングセル４１５−ｂのための時間４５５−ｂは、７．５スロット＋（０から２５５）チップ、または、５．０ｍｓ＋（０から６６．４）μｓであり得る。これは、ＨＳ−ＰＤＳＣＨ４１２のサブフレーム１の開始とＨＳ−ＤＰＣＣＨ1４１３のサブフレーム０の開始との間の、プライマリサービングセル４０５−ｂのための対応する時間４４０−ｂとは異なるので、ＨＳ−ＤＰＣＣＨ1４１３と潜在的なＨＳ−ＤＰＣＣＨ2４１９との間の不整合が存在し得る。たとえば、時間４５１は、時間４５５−ｂの終了とＨＳ−ＤＰＣＣＨ2４１９上のサブフレーム０の開始との間に存在し得る。この時間４５１は、０．５スロット、または０．３３ｍｓに等しくなり得る。場合によっては、セカンダリサービングセル４１５−ｂが、ＨＳ−ＤＰＣＣＨ2４１９などのＨＳ−ＤＰＣＣＨを有した場合に、セカンダリサービングセル４１５−ｂのためのサブフレーム０および１のためのＡＣＫ／ＮＡＣＫを送るためにかかったであろう時間を表し得る、時間４５２は、６スロット、または４．０ｍｓに等しい４５１であり得る。場合によっては、時間４５２は、０．５スロット、または０．３３ｍｓに等しくなり得る、ＨＳ−ＤＰＣＣＨ1４１３のサブフレームと潜在的なＨＳ−ＤＰＣＣＨ2４１９の２つのサブフレームとの間の遅延４５３を考慮し得る。
【００８１】
[0093]場合によっては、プライマリおよびサービングセル４０５−ｂと４１５−ｂとの間の不整合を考慮に入れ、遅延４５３に基づいて、セカンダリサービングセル４１５−ｂのための開始時間を調整することによって、プライマリサービングセル４０５−ｂおよびセカンダリサービングセル４１５−ｂのフィードバックシグナリングが整合され得る。たとえば、プライマリサービングセル４０５−ｂとセカンダリサービングセル４１５−ｂとの間のタイミング関係を識別した後、ＨＳ−ＰＤＳＣＨ４１８のサブフレーム０のためのフィードバックメッセージを搬送するＨＳ−ＤＰＣＣＨ1４１３上のサブフレーム０は、ＨＳ−ＰＤＳＣＨ４１８のサブフレーム０の送信から８スロットもしくは５．３３ｍｓの後、または、ＨＳ−ＰＤＳＣＨ４１８のサブフレーム０の送信から７．５スロット（５．０ｍｓ）の後、送信され得る。セカンダリサービングセル４１５−ｂが、ＨＳ−ＤＰＣＣＨ2４１９であり得る、実際のＨＳ−ＤＰＣＣＨを有する場合。場合によっては、これは、フィードバックメッセージ、たとえば、ＡＣＫ／ＮＡＣＫメッセージが、バンドルごとに２つのメッセージにグループ化されるとき、第１のサブフレーム（０）に対して３．５スロットまたは２．３３ｍｓのセカンダリサービングセル４１５−ｂのためのフィードバック遅延と、第２のサブフレーム（１）に対して０．５スロットまたは０．３３ｍｓの遅延とを追加する結果となり得る。
【００８２】
[0094]いくつかの実施形態では、たとえば、３つまたは４つのＡＣＫ／ＮＡＣＫがＨＳ−ＤＰＣＨ1４１３上で構成される場合、１つのＮ＝２  ＨＳ−ＤＰＣＣＨ1４１３でのセカンダリサービングＮ＝１  ＨＳ−ＤＳＣＨセル４１５−ｂの最大数は、１である。
【００８３】
[0095]次に図４Ｄを参照すると、タイミング図は、プライマリサービングセル４０５−ｃについて、Ｎ＝４、および、セカンダリサービングセル４１５−ｃについて、Ｎ＝１である、構成４００−ｃを示す。プライマリサービングセル４０５−ｃについて、ｎ番目のＤＰＣＨ４０８のフレームの開始時間後のＵＬ  ＤＰＣＣＨ／ＤＰＤＣＨ４０９上のフレームの開始のための開始遅延Ｔｏ４３０−ｃは、１０２４膨張チップ、または１０６６．６７μｓに等しくなり得る。ＨＳ−ＰＤＳＣＨ４１２上のサブフレームは、ＨＳ−ＳＣＣＨ４１１上のサブフレームから時間４３５−ｃ、たとえば、５．３３ｍｓに相当し得る２膨張スロットの後、送信を開始し得る。いくつかの実施形態では、ＨＳ−ＤＰＣＣＨ４１３上のサブフレームは、ＨＳ−ＰＤＳＣＨ４１２上のサブフレームの後、送信され得る。場合によっては、この遅延４４０−ｃは、サブフレーム１の開始時間に対して測定されてよく、７．５膨張スロット＋（０から２５５）膨張チップ、または、２０．０ｍｓ＋（０から２６５．６）μｓの範囲内であり得る。ＨＳ−ＰＤＳＣＨ４１８上のサブフレームは、ＨＳ−ＳＣＣＨ４１７上のサブフレームの後、送信され得る。場合によっては、この遅延４４５−ｃは、サブフレーム０の開始時間に対して測定されてよく、２スロット、または、Ｎ＝１セルでは、１．３３ｍｓに等しくなり得る。
【００８４】
[0096]いくつかの実施形態では、ＨＳ−ＰＤＳＣＨ４１８上のサブフレーム０のための送信時間の終了と、フィードバック情報を搬送し得る潜在的なＨＳ−ＤＰＣＣＨ2４１９上のサブフレーム０の開始との間の時間を表し得る、セカンダリサービングセル４１５−ｃのための時間４５５−ｃは、７．５スロット＋（０から２５５）チップ、または、５．０ｍｓ＋（０から６６．４）μｓであり得る。これは、ＨＳ−ＰＤＳＣＨ４１２のサブフレーム１の開始とＨＳ−ＤＰＣＣＨ1４１３のサブフレーム０の開始との間の、プライマリサービングセル４０５−ｃのための対応する時間４４０−ｃとは異なるので、ＨＳ−ＤＰＣＣＨ1４１３と潜在的なＨＳ−ＤＰＣＣＨ2４１９との間の不整合が存在し得る。たとえば、時間４５１−ａは、時間４５５−ｃの終了とＨＳ−ＤＰＣＣＨ2４１９上のサブフレーム０の開始との間に存在し得る。この時間４５１−ａは、１．５スロット、または１．０ｍｓに等しくなり得る。場合によっては、セカンダリサービングセル４１５−ｃが、ＨＳ−ＤＰＣＣＨ2４１９などのＨＳ−ＤＰＣＣＨを有した場合に、セカンダリサービングセル４１５−ｃのためのサブフレーム０、１、２、および３のためのＡＣＫ／ＮＡＣＫを送るためにかかったであろう時間を表し得る、時間４５２−ａは、１２スロット、または８．０ｍｓに等しくなり得る。場合によっては、時間４５２−ａは、１．５スロット、または１．０ｍｓに等しくなり得る、ＨＳ−ＤＰＣＣＨ1４１３のサブフレームと潜在的なＨＳ−ＤＰＣＣＨ2４１９の４つのサブフレームとの間の遅延４５３−ａを考慮し得る。
【００８５】
[0097]場合によっては、プライマリおよびサービングセル４０５−ｃと４１５−ｃとの間の不整合を考慮に入れ、遅延４５３−ａに基づいて、セカンダリサービングセル４１５−ｃのための開始時間を調整することによって、プライマリサービングセル４０５−ｃおよびセカンダリサービングセル４１５−ｃのフィードバックシグナリングが整合され得る。たとえば、プライマリサービングセル４０５−ｃとセカンダリサービングセル４１５−ｃとの間のタイミング関係を識別した後、ＨＳ−ＰＤＳＣＨ４１８のサブフレーム０のためのフィードバックメッセージを搬送するＨＳ−ＤＰＣＣＨ1４１３上のサブフレーム０は、セカンダリサービングセル４１５−ｃが、ＨＳ−ＤＰＣＣＨ2４１９であり得る実際のＨＳ−ＤＰＣＣＨを有する場合、ＨＳ−ＰＤＳＣＨ４１８のサブフレーム０の送信から９スロットもしくは６．０ｍｓの後、または、ＨＳ−ＰＤＳＣＨ４１８のサブフレーム０の送信から７．５スロット（５．０ｍｓ）の後、送信され得る。場合によっては、これは、フィードバックメッセージ、たとえば、ＡＣＫ／ＮＡＣＫメッセージが、バンドルごとに４つのメッセージにグループ化されるとき、第１のサブフレーム（０）に対して１０．５スロットもしくは７．０ｍｓだけのセカンダリサービングセル４１５−ｃのためのフィードバック遅延、第２のサブフレーム（１）に対して７．５スロットもしくは５．０ｍｓの遅延、第３のサブフレーム（２）に対して４．５スロットもしくは３．０ｍｓの遅延、および／または、第４のサブフレーム（３）に対して１．５スロットもしくは１．０ｍｓの遅延を追加する結果となり得る。
【００８６】
[0098]いくつかの実施形態では、たとえば、４つのＡＣＫ／ＮＡＣＫがＨＳ−ＤＰＣＣＨ2４１９上で構成される場合、２つのＮ＝４  ＨＳ−ＤＰＣＣＨ1４１３でのセカンダリサービングＮ＝１  ＨＳ−ＤＳＣＨセル４１５−ｃの最大数は、２である。
【００８７】
[0099]次に図４Ｅを参照すると、タイミング図は、プライマリサービングセル４０５−ｄについて、Ｎ＝２、および、セカンダリサービングセル４１５−ｄについて、Ｎ＝１である、ＨＳ−ＰＤＣＣＨのためのタイミングアドバンスなしの、構成４００−ｂと同様であり得る、構成４００−ｄを示す。プライマリサービングセル４０５−ｄについて、ｎ番目のＤＰＣＨ４０８のフレームの開始時間後のＵＬ  ＤＰＣＣＨ／ＤＰＤＣＨ４０９上のフレームの開始のための開始遅延Ｔｏ４３０−ｄは、１０２４膨張チップ、または５３３．３３μｓに等しくなり得る。ＨＳ−ＰＤＳＣＨ４１２上のサブフレームは、ＨＳ−ＳＣＣＨ４１１上のサブフレームから時間４３５−ｄ、たとえば、２．６７ｍｓに相当し得る２膨張スロットの後、送信を開始し得る。いくつかの実施形態では、ＨＳ−ＤＰＣＣＨ４１３上のサブフレームは、ＨＳ−ＰＤＳＣＨ４１２上のサブフレームの後、送信され得る。場合によっては、この遅延４４０−ｄは、サブフレーム１の開始時間に対して測定されてよく、７．５膨張スロット＋（０から２５５）膨張チップ、または、１０．０ｍｓ＋（０から１３２．８）μｓの範囲内であり得る。ＨＳ−ＰＤＳＣＨ４１８上のサブフレームは、ＨＳ−ＳＣＣＨ４１７上のサブフレームの後、送信され得る。場合によっては、この遅延４４５−ｄは、サブフレーム０の開始時間に対して測定されてよく、２スロット、または、Ｎ＝１セルでは、１．３３ｍｓに等しくなり得る。
【００８８】
[0100]いくつかの実施形態では、ＨＳ−ＰＤＳＣＨ４１８上のサブフレーム０のための送信時間の終了と、フィードバック情報を搬送し得る潜在的なＨＳ−ＤＰＣＣＨ2４１９上のサブフレーム０の開始との間の時間を表し得る、セカンダリサービングセル４１５−ｄのための時間４５５−ｄは、７．５スロット＋（０から２５５）チップ、または、５．０ｍｓ＋（０から６６．４）μｓであり得る。これは、ＨＳ−ＰＤＳＣＨ４１２のサブフレーム１の開始とＨＳ−ＤＰＣＣＨ1４１３のサブフレーム０の開始との間の、プライマリサービングセル４０５−ｄのための対応する時間４４０−ｄとは異なるので、ＨＳ−ＤＰＣＣＨ1４１３と潜在的なＨＳ−ＤＰＣＣＨ2４１９との間の不整合が存在し得る。たとえば、時間４５２−ｂは、セカンダリサービングセル４１５−ｄが、ＨＳ−ＤＰＣＣＨ2４１９によって表され得るＨＳ−ＤＰＣＣＨを有した場合に、セカンダリサービングセル４１５−ｄのためのサブフレーム０および１のためのＡＣＫ／ＮＡＣＫを送るためにかかったであろう時間を表し得る。時間４５２−ｂは、６スロット、または４．０ｍｓに等しくなり得る。セカンダリサービングセル４１５−ｄが、ＨＳ−ＤＰＣＣＨを有しておらず、代わりに、フィードバックシグナリングのためにＨＳ−ＤＰＣＣＨ1４１３を使用するので、１２．５スロットまたは８．３３ｍｓに等しくなり得る、フィードバックシグナリングにおける追加の遅延４５３−ｂがある。
【００８９】
[0101]場合によっては、プライマリおよびサービングセル４０５−ｄと４１５−ｄとの間の不整合を考慮に入れ、遅延４５３−ｂに基づいて、セカンダリサービングセル４１５−ｄのための開始時間を調整することによって、プライマリサービングセル４０５−ｄおよびセカンダリサービングセル４１５−ｄのフィードバックシグナリングが整合され得る。たとえば、プライマリサービングセル４０５−ｄとセカンダリサービングセル４１５−ｄとの間のタイミング関係を識別した後、ＨＳ−ＰＤＳＣＨ４１８のサブフレーム０のためのフィードバックメッセージを搬送するＨＳ−ＤＰＣＣＨ1４１３上のサブフレーム０は、セカンダリサービングセル４１５−ｄが、ＨＳ−ＤＰＣＣＨ2４１９であり得る実際のＨＳ−ＤＰＣＣＨを有する場合、ＨＳ−ＰＤＳＣＨ４１８のサブフレーム０の送信から２０スロットもしくは１３．３３ｍｓの後、または、ＨＳ−ＰＤＳＣＨ４１８のサブフレーム０の送信から７．５スロット（５．０ｍｓ）の後、送信され得る。場合によっては、これは、フィードバックメッセージ、たとえば、ＡＣＫ／ＮＡＣＫメッセージが、バンドルごとに２つのメッセージにグループ化されるとき、第１のサブフレーム（０）に対して１５．５スロットもしくは１０．３３ｍｓだけのセカンダリサービングセル４１５−ｄのためのフィードバック遅延、および／または、第２のサブフレーム（１）に対して１２．５スロットもしくは８．３３ｍｓの遅延を追加する結果となり得る。
【００９０】
[0102]次に図４Ｆを参照すると、タイミング図は、プライマリサービングセル４０５−ｅについて、Ｎ＝４、および、セカンダリサービングセル４１５−ｅについて、Ｎ＝１である、ＨＳ−ＰＤＣＣＨのためのタイミングアドバンスなしの、構成４００−ｃと同様であり得る、構成４００−ｅを示す。プライマリサービングセル４０５−ｅについて、ｎ番目のＤＰＣＨ４０８のフレームの開始時間後のＵＬ  ＤＰＣＣＨ／ＤＰＤＣＨ４０９上のフレームの開始のための開始遅延Ｔｏ４３０−ｅは、１０２４膨張チップ、または１０６６．６７μｓに等しくなり得る。ＨＳ−ＰＤＳＣＨ４１２上のサブフレームは、ＨＳ−ＳＣＣＨ４１１上のサブフレームから時間４３５−ｄ、たとえば、５．３３ｍｓに相当し得る２膨張スロットの後、送信を開始し得る。いくつかの実施形態では、ＨＳ−ＤＰＣＣＨ４１３上のサブフレームは、ＨＳ−ＰＤＳＣＨ４１２上のサブフレームの後、送信され得る。場合によっては、この遅延４４０−ｅは、サブフレーム１の開始時間に対して測定されてよく、７．５膨張スロット＋（０から２５５）膨張チップ、または、２０．０ｍｓ＋（０から２６５．６）μｓの範囲内であり得る。ＨＳ−ＰＤＳＣＨ４１８上のサブフレームは、ＨＳ−ＳＣＣＨ４１７上のサブフレームの後、送信され得る。場合によっては、この遅延４４５−ｅは、サブフレーム０の開始時間に対して測定されてよく、２スロット、または、Ｎ＝１セルでは、１．３３ｍｓに等しくなり得る。
【００９１】
[0103]いくつかの実施形態では、ＨＳ−ＰＤＳＣＨ４１８上のサブフレーム０のための送信時間の終了と、フィードバック情報を搬送し得る潜在的なＨＳ−ＤＰＣＣＨ2４１９上のサブフレーム０の開始との間の時間を表し得る、セカンダリサービングセル４１５−ｅのための時間４５５−ｅは、７．５スロット＋（０から２５５）チップ、または、５．０ｍｓ＋（０から６６．４）μｓであり得る。これは、ＨＳ−ＰＤＳＣＨ４１２のサブフレーム１の開始とＨＳ−ＤＰＣＣＨ1４１３のサブフレーム０の開始との間の、プライマリサービングセル４０５−ｅのための対応する時間４４０−ｅとは異なるので、ＨＳ−ＤＰＣＣＨ1４１３と潜在的なＨＳ−ＤＰＣＣＨ2４１９との間の不整合が存在し得る。たとえば、時間４５２−ｃは、セカンダリサービングセル４１５−ｅが、ＨＳ−ＤＰＣＣＨ2４１９によって表され得るＨＳ−ＤＰＣＣＨを有した場合に、セカンダリサービングセル４１５−ｅのためのサブフレーム０、１、２、および３のためのＡＣＫ／ＮＡＣＫを送るためにかかったであろう時間を表し得る。時間４５２−ｃは、１２スロット、または８．０ｍｓに等しくなり得る。セカンダリサービングセル４１５−ｅが、ＨＳ−ＤＰＣＣＨを有していないことがあり、代わりに、フィードバックシグナリングのためにＨＳ−ＤＰＣＣＨ1４１３を使用し得るので、３７．５スロットまたは２５．０ｍｓに等しくなり得る、フィードバックシグナリングにおける追加の遅延４５３−ｃがあり得る。
【００９２】
[0104]場合によっては、プライマリおよびサービングセル４０５−ｅと４１５−ｅとの間の不整合を考慮に入れ、遅延４５３−ｃに基づいて、セカンダリサービングセル４１５−ｅのための開始時間を調整することによって、プライマリサービングセル４０５−ｅおよびセカンダリサービングセル４１５−ｅのフィードバックシグナリングが整合され得る。たとえば、プライマリサービングセル４０５−ｅとセカンダリサービングセル４１５−ｅとの間のタイミング関係を識別した後、ＨＳ−ＰＤＳＣＨ４１８のサブフレーム０のためのフィードバックメッセージを搬送するＨＳ−ＤＰＣＣＨ1４１３上のサブフレーム０は、セカンダリサービングセル４１５−ｅが、ＨＳ−ＤＰＣＣＨ2４１９であり得る実際のＨＳ−ＤＰＣＣＨを有する場合、ＨＳ−ＰＤＳＣＨ４１８のサブフレーム０の送信から３７．５スロットもしくは２５．０ｍｓの後、または、ＨＳ−ＰＤＳＣＨ４１８のサブフレーム０の送信から７．５スロット（５．０ｍｓ）の後、送信され得る。場合によっては、これは、フィードバックメッセージ、たとえば、ＡＣＫ／ＮＡＣＫメッセージが、バンドルごとに４つのメッセージにグループ化されるとき、第１のサブフレーム（０）に対して３９スロットもしくは２６．０ｍｓのセカンダリサービングセル４１５−ｅのためのフィードバック遅延、第２のサブフレーム（１に対して２４スロットもしくは５．０ｍｓの遅延、第３のサブフレーム（２）に対して３３スロットもしくは２２．０ｍｓの遅延、および／または、第２のサブフレーム（３）に対して３０スロットもしくは２０．０ｍｓの遅延を追加する結果となり得る。
【００９３】
[0105]次に図５Ａを参照すると、ブロック図は、様々な実施形態による、１つまたは複数のフレキシブル帯域幅キャリアを利用するマルチキャリアシステムにおける、シグナリング整合機能を含むデバイス５００を示す。デバイス５００は、図１、図２Ａ、図２Ｂ、および／もしくは図３の基地局１０５、ならびに／または、図１、図２Ａ、図２Ｂ、および／もしくは図３のユーザ機器１１５、ならびに／または、図１のコントローラ１２０／コアネットワーク１３０の態様、ならびにまたは、図４Ａ、図４Ｂ、図４Ｃ、図４Ｄ、図４Ｅ、および／もしくは図４Ｆのシステム４００、４００−ａ、４００−ｂ、４００−ｃ、４００−ｄ、４００−ｅの態様の一例であり得る。デバイス５００は、受信機モジュール５０５と、信号タイミング整合モジュール５１０と、送信機モジュール５１５とを含み得る。これらの構成要素の各々は、互いに通信中であり得る。
【００９４】
[0106]デバイス５００のこれらの構成要素は、個別にまたは集合的に、ハードウェア中の適用可能な機能の一部または全部を実行するように適合された１つまたは複数の特定用途向け集積回路（ＡＳＩＣ）を用いて実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００９５】
[0107]受信機モジュール５０５は、パケット、データ、および／またはデバイス５００が受信したものに関するシグナリング情報などの情報を受信し得る。受信された情報は、様々な目的のためにデバイス５００によって利用され得る。送信機モジュール５１５は、パケット、データ、またはデバイス５００が処理したものに関するシグナリング情報などの情報を送信し得る。送信された情報は、以下で説明されるように、様々な目的のために、様々なネットワークエンティティによって利用され得る。
【００９６】
[0108]信号タイミング整合モジュール５１０は、第１のセルのための、ＡＣＫ／ＮＡＣＫメッセージなど、１つまたは複数のフィードバックメッセージを搬送する１つまたは複数のサブフレームのためのタイミングを識別するように構成され得る。信号タイミング整合モジュール５１０はまた、第１のセルのための１つまたは複数のフィードバックメッセージを搬送する１つまたは複数のサブフレームと整合するように、第２のセルのための１つまたは複数のフィードバックメッセージを搬送する１つまたは複数のサブフレームのためのタイミングを調整するようにも構成され得る。少なくとも第１のセルまたは第２のセルは、少なくとも１つまたは複数のフレキシブル帯域幅キャリアを含み得る。
【００９７】
[0109]いくつかの実施形態では、信号タイミング整合モジュール５１０を利用して、第２のセルのための１つまたは複数のサブフレームのためのタイミングを調整することは、スタンドアロンキャリアセルに対して、第２のセルのための１つまたは複数のフィードバックメッセージ、たとえば、ＡＣＫ／ＮＡＣＫメッセージのための遅延を低減する。いくつかの実施形態では、信号タイミング整合モジュール５１０を利用して、第２のセルのための１つまたは複数のサブフレームのためのタイミングを調整することは、第２のセルの帯域幅が第１のセルのフレキシブル帯域幅よりも大きいとき、第１のセルと第２のセルの両方のための１つまたは複数のフィードバックメッセージのために使用されるリソースの容量における増加を含み、および／または必要とし得る。いくつかの実施形態では、信号タイミング整合モジュール５１０を利用して、第２のセルのための１つまたは複数のサブフレームのためのタイミングを調整することは、第２のセルのフレキシブルまたはスケーラブル帯域幅が第１のセルの帯域幅未満であるとき、第１のセルと第２のセルの両方のための１つまたは複数のフィードバックメッセージのために使用されるリソースの容量における減少を含み得、および／または必要とし得る。。
【００９８】
[0110]いくつかの実施形態では、第１のセルは、通常帯域幅キャリアを含み、第２のセルは、１つまたは複数のフレキシブル帯域幅キャリアを含んでよい。いくつかの実施形態では、第１のセルは、フレキシブル帯域幅キャリアを含んでよく、第２のセルは、第１のセルとは異なる１つまたは複数のフレキシブル帯域幅キャリアを含んでよい。場合によっては、第１のセルのフレキシブル帯域幅は、第２のセルのフレキシブル帯域幅よりも大きい。
【００９９】
[0111]いくつかの実施形態では、第１のセルは、１つまたは複数のフレキシブル帯域幅キャリアを含み、第２のセルは、通常帯域幅キャリアを含む。いくつかの実施形態では、第１のセルは、１つまたは複数のフレキシブル帯域幅キャリアを含み、第２のセルは、第１のセルとは異なる１つまたは複数のフレキシブル帯域幅キャリアを含む。場合によっては、第１のセルのフレキシブル帯域幅は、第２のセルのフレキシブル帯域幅未満である。
【０１００】
[0112]いくつかの実施形態では、第１のセルは、１に等しい帯域幅スケーリング係数を含み、第２のセルは、２または４に等しい帯域幅スケーリング係数を含む。他の実施形態では、第１のセルは、２または４に等しい帯域幅スケーリング係数を含み、第２のセルは、１に等しい帯域幅スケーリング係数を含む。
【０１０１】
[0113]次に図５Ｂを参照すると、ブロック図は、様々な実施形態による、１つまたは複数のフレキシブル帯域幅キャリアを利用するマルチキャリアシステムにおける、シグナリング整合機能を含むデバイス５００−ａを示す。デバイス５００−ａは、図１、図２Ａ、図２Ｂ、および／もしくは図３の基地局１０５、図１、図２Ａ、図２Ｂ、および／もしくは図３のユーザ機器１１５、ならびに／または、図１のコントローラ１２０／コアネットワーク１３０の態様、ならびにまたは、図４Ａ、図４Ｂ、図４Ｃ、図４Ｄ、図４Ｅ、および／もしくは図４Ｆのシステム４００、４００−ａ、４００−ｂ、４００−ｃ、４００−ｄ、４００−ｅの態様の一例であり得る。デバイス５００−ａは、受信機モジュール５０５と、第１のセルタイミング識別モジュール５１１と、第２のセルタイミング調整モジュール５１２と、送信機モジュール５１５とを含み得る。これらの構成要素の各々は、互いに通信中であり得る。いくつかの実施形態では、図５Ａの信号タイミング整合モジュール５１０の一部または全部の態様を組み込み得る、信号タイミング整合モジュール５１０−ａは、第１のセルタイミング識別モジュール５１１と、第２のセルタイミング調整モジュール５１２とを含み得る。デバイス５００−ａは、図５Ａを参照して上記で説明されたようなデバイス５００の一部もしくは全部の態様を含んでよく、または、その機能の一部もしくは全部を実装し得る。
【０１０２】
[0114]デバイス５００−ａの構成要素は、個別にまたは集合的に、ハードウェア中の適用可能な機能の一部または全部を実行するように適合された１つまたは複数の特定用途向け集積回路（ＡＳＩＣ）を用いて実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【０１０３】
[0115]受信機モジュール５０５は、パケット、データ、および／またはデバイス５００−ａが受信したものに関するシグナリング情報などの情報を受信し得る。受信された情報は、様々な目的のためにデバイス５００−ａによって利用され得る。送信機モジュール５１５は、パケット、データ、またはデバイス５００−ａが処理したものに関するシグナリング情報などの情報を送信し得る。送信された情報は、本明細書で説明されるように、様々な目的のために、様々なネットワークエンティティによって利用され得る。
【０１０４】
[0116]第１のセルタイミング識別モジュール５１１は、第１のセルのための、１つまたは複数のＡＣＫ／ＮＡＣＫメッセージなど、１つまたは複数のフィードバックメッセージを搬送する１つまたは複数のサブフレームのためのタイミングを識別するように構成され得る。第２のセルタイミング調整モジュール５１２は、第１のセルのための１つまたは複数のフィードバックメッセージを搬送する１つまたは複数のサブフレームと整合するように、第２のセルのための１つまたは複数のフィードバックメッセージを搬送する１つまたは複数のサブフレームのためのタイミングを調整するように構成され得る。少なくとも第１のセルまたは第２のセルは、少なくとも１つまたは複数のフレキシブルまたはスケーラブル帯域幅キャリアを含み得る。
【０１０５】
[0117]いくつかの実施形態では、第２のセルタイミング調整モジュール５１２を利用して、第２のセルのための１つまたは複数のサブフレームのためのタイミングを調整することは、スタンドアロンキャリアセルに対して、第２のセルのための１つまたは複数のフィードバックメッセージのための遅延を低減する。場合によっては、第２のセルタイミング調整モジュール５１２を利用して、第２のセルのための１つまたは複数のサブフレームのためのタイミングを調整することは、第２のセルの帯域幅が第１のセルのフレキシブル帯域幅よりも大きいとき、第１のセルと第２のセルの両方のための１つまたは複数のフィードバックメッセージのために使用されるリソースの容量における増加を含み、および／または必要とし得る。他の実施形態では、第２のセルタイミング調整モジュール５１２を利用して、第２のセルのための１つまたは複数のサブフレームのためのタイミングを調整することは、第２のセルのフレキシブル帯域幅が第１のセルの帯域幅未満であるとき、第１のセルと第２のセルの両方のための１つまたは複数のフィードバックメッセージのために使用されるリソースの容量における減少を含み得、および／または必要とし得る。
【０１０６】
[0118]いくつかの実施形態では、第１のセルは、通常帯域幅キャリアを含み、第２のセルは、１つまたは複数のフレキシブルまたはスケーラブル帯域幅キャリアを含み得る。いくつかの実施形態では、第１のセルは、フレキシブル帯域幅キャリアを含んでよく、第２のセルは、第１のセルとは異なる１つまたは複数のフレキシブル帯域幅キャリアを含んでよい。場合によっては、第１のセルのフレキシブル帯域幅は、第２のセルのフレキシブル帯域幅よりも大きい。
【０１０７】
[0119]いくつかの実施形態では、第１のセルは、１つまたは複数のフレキシブル帯域幅キャリアを含み、第２のセルは、通常帯域幅キャリアを含む。いくつかの実施形態では、第１のセルは、１つまたは複数のフレキシブル帯域幅キャリアを含み、第２のセルは、第１のセルとは異なる１つまたは複数のフレキシブル帯域幅キャリアを含む。場合によっては、第１のセルのフレキシブル帯域幅は、第２のセルのフレキシブル帯域幅未満である。
【０１０８】
[0120]いくつかの実施形態では、第１のセルは、１に等しい帯域幅スケーリング係数を含み、第２のセルは、２または４に等しい帯域幅スケーリング係数を含む。他の実施形態では、第１のセルは、２または４に等しい帯域幅スケーリング係数を含み、第２のセルは、１に等しい帯域幅スケーリング係数を含む。
【０１０９】
[0121]図６は、様々な実施形態による、１つまたは複数のフレキシブル帯域幅キャリアを利用するマルチキャリアシステムにおける、シグナリング整合のために構成され得る通信システム６００のブロック図を示す。このシステム６００は、図１に示されたシステム１００、図２Ａおよび図２Ｂのシステム２００−ａおよび２００−ｂ、図３のシステム３００、ならびに／または、図４Ａ、図４Ｂ、図４Ｃ、図４Ｄ、図４Ｅ、および／もしくは図４Ｆのシステム４００、４００−ａ、４００−ｂ、４００−ｃ、４００−ｄ、４００−ｅ、ならびに／または、図５Ａおよび／もしくは図５Ｂのデバイス５００および５００−ａの態様を含み得る。基地局１０５−ｄは、場合によっては、コントローラ１２０−ａおよび／またはコアネットワーク１３０−ａの態様を含み得る。基地局１０５−ｄは、アンテナ６４５と、トランシーバモジュール６５０と、メモリ６７０と、プロセッサモジュール６６５とを含んでよく、その各々は、（たとえば、１つまたは複数のバスを介して）互いに直接または間接的に通信中であり得る。トランシーバモジュール６５０は、アンテナ６４５を介して、マルチモードユーザ機器であり得るユーザ機器１１５−ｄと双方向に通信するように構成され得る。トランシーバモジュール６５０（および／または、基地局１０５−ｄの他の構成要素）はまた、１つまたは複数のネットワークと双方向に通信するようにも構成され得る。場合によっては、基地局１０５−ｄは、ネットワーク通信モジュール６７５を通してネットワーク１３０−ａと通信し得る。基地局１０５−ｄは、ｅノードＢ基地局、ホームｅノードＢ基地局、ノードＢ基地局、無線ネットワークコントローラ（ＲＮＣ）、および／またはホームノードＢ基地局の一例であり得る。
【０１１０】
[0122]基地局１０５−ｄはまた、基地局１０５−ｅおよび基地局１０５−ｆなどの他の基地局１０５と通信し得る。基地局１０５の各々は、様々な無線アクセス技術などの様々なワイヤレス通信技術を使用してユーザ機器１１５−ｄと通信し得る。場合によっては、基地局１０５−ｄは、基地局通信モジュール６３１を利用して１０５−ｅおよび／または１０５−ｆなどの他の基地局と通信し得る。いくつかの実施形態では、基地局通信モジュール６３１は、基地局１０５のいくつかの間の通信を行うために、ＬＴＥワイヤレス通信技術内のＸ２インターフェースを提供し得る。いくつかの実施形態では、基地局１０５−ｄは、コントローラ１２０−ａおよび／またはネットワーク１３０−ａを通して他の基地局と通信し得る。
【０１１１】
[0123]メモリ６７０は、ランダムアクセスメモリ（ＲＡＭ）と読取り専用メモリ（ＲＯＭ）とを含み得る。メモリ６７０はまた、実行されるとプロセッサモジュール６６５に本明細書で説明される様々な機能（たとえば、呼処理、データベース管理、メッセージルーティングなど）を実行させるように構成された命令を含んでいるコンピュータ可読、コンピュータ実行可能ソフトウェアコード６７１を記憶し得る。代替的に、ソフトウェア６７１は、プロセッサモジュール６６５によって直接的に実行可能ではないことがあるが、たとえば、コンパイルされ実行されたとき、コンピュータに本明細書で説明される機能を実行させるように構成され得る。
【０１１２】
[0124]プロセッサモジュール６６５は、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）など、インテリジェントハードウェアデバイスを含み得る。プロセッサモジュール６６５は、マイクロフォンを介してオーディオを受信し、そのオーディオを、受信されたオーディオを表す（たとえば、長さ２０ｍｓの）パケットに変換し、そのオーディオパケットを与え、および／またはユーザが話しているかどうかの指示を与えるように構成された音声エンコーダ（図示せず）を含み得る。
【０１１３】
[0125]トランシーバモジュール６５０は、パケットを変調し、変調されたパケットを送信のためにアンテナ６４５に供給し、アンテナ６４５から受信されたパケットを復調するように構成されたモデムを含み得る。基地局１０５−ｄのいくつかの例は単一のアンテナ６４５を含み得るが、基地局１０５−ｄは、好ましくは、キャリアアグリゲーションをサポートし得る複数のリンクのための複数のアンテナ６４５を含む。たとえば、ユーザ機器１１５ｄとのマクロ通信をサポートするために１つまたは複数のリンクが使用され得る。
【０１１４】
[0126]図６のアーキテクチャによれば、基地局１０５−ｄは、通信管理モジュール６３０をさらに含み得る。例として、通信管理モジュール６３０は、バスを介して基地局１０５−ｄの他の構成要素の一部または全部と通信している基地局１０５−ｄの構成要素であり得る。代替的に、通信管理モジュール６３０の機能は、トランシーバモジュール６５０の構成要素として、コンピュータプログラム製品として、および／またはプロセッサモジュール６６５の１つもしくは複数のコントローラ要素として実装され得る。
【０１１５】
[0127]基地局１０５−ｄのための構成要素は、図５Ａのデバイス５００および／もしくは図５Ｂのデバイス５００−ａ、ならびに／または、図４Ａ、図４Ｂ、図４Ｃ、図４Ｄ、図４Ｅ、および／もしくは図４Ｆのシステム４００、４００−ａ、４００−ｂ、４００−ｃ、４００−ｄ、４００−ｅの構成に関して上記で説明された態様を実装するように構成されてよく、簡潔のために本明細書で繰り返されないことがある。セルタイミング識別モジュール５１１−ａは、図５Ｂの第１のセルタイミング識別モジュール５１１の一例であり得る。セルタイミング調整モジュール５１２−ａは、図５Ｂの第２のセルタイミング調整モジュール５１２の一例であり得る。さらに、セルタイミング識別モジュール５１１−ａとセルタイミング調整モジュール５１２−ａとを含み得る、信号タイミング整合モジュール５１０−ｂは、図５Ａの信号タイミング整合モジュール５１０および／または図５Ｂの信号タイミング整合モジュール５１０−ａの一例であり得る。
【０１１６】
[0128]基地局１０５−ｄはまた、スペクトル識別モジュール（図示せず）を含み得る。スペクトル識別モジュールは、フレキシブル帯域幅波形のために利用可能なスペクトルを識別するために利用され得る。いくつかの実施形態では、ハンドオーバモジュール６２５が、ある基地局１０５から別の基地局へのユーザ機器１１５−ｄのハンドオーバ手順を実行するために利用され得る。たとえば、ハンドオーバモジュール６２５は、基地局１０５−ｄから別の基地局へのユーザ機器１１５−ｄのハンドオーバ手順を実行してよく、ここで、通常波形がユーザ機器１１５−ｄと基地局のうちの１つとの間で利用され、フレキシブル帯域幅波形がユーザ機器と別の基地局との間で利用される。帯域幅スケーリングモジュール６２７は、フレキシブル帯域幅波形を生成するために、チップレートおよび／または時間をスケーリングおよび／または変更するために利用され得る。
【０１１７】
[0129]いくつかの実施形態では、トランシーバモジュール６５０は、基地局１０５−ｄの他の可能な構成要素とともに、アンテナ６４５と連携して、基地局１０５−ｄからユーザ機器１１５−ｄへ、他の基地局１０５−ｅ／１０５−ｆへ、またはコアネットワーク１３０−ａへ、フレキシブル帯域幅波形および／またはスケーリング係数に関する情報を送信および／または受信し得る。いくつかの実施形態では、トランシーバモジュール６５０は、基地局１０５−ｄの他の可能な構成要素とともに、アンテナ６４５と連携して、ユーザ機器１１５−ｄとの間で、他の基地局１０５−ｅ／１０５−ｆ、またはコアネットワーク１３０−ａとの間で、フレキシブル帯域幅波形および／またはスケーリング係数などの情報を送信および／または受信し得るので、これらのデバイスまたはシステムは、フレキシブル帯域幅波形を利用することができる。
【０１１８】
[0130]図７は、様々な実施形態によって構成されたユーザ機器１１５−ｅのブロック図７００である。ユーザ機器１１５−ｅは、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネットアプライアンス、ゲームコンソール、電子リーダーなど、様々な構成のいずれかを有し得る。ユーザ機器１１５−ｅは、モバイル動作を容易にするために、小型バッテリーなどの内蔵電源（図示せず）を有し得る。いくつかの実施形態では、ユーザ機器１１５−ｅは、図１に示されたシステム１００、図２Ａおよび図２Ｂのシステム２００−ａおよび２００−ｂ、図３のシステム３００、図４Ａ、図４Ｂ、図４Ｃ、図４Ｄ、図４Ｅ、および／もしくは図４Ｆのシステム４００、４００−ａ、４００−ｂ、４００−ｃ、４００−ｄ、４００−ｅ、ならびに／または、図６のシステム６００、ならびに／または、図５Ａおよび／もしくは図５Ｂのデバイス５００および５００−ａの態様を実装し得る。ユーザ機器１１５−ｅは、マルチモードユーザ機器であり得る。ユーザ機器１１５−ｅは、場合によっては、ワイヤレス通信デバイスとさらに呼ばれることがある。
【０１１９】
[0131]ユーザ機器１１５−ｅは、アンテナ７４０と、トランシーバモジュール７５０と、メモリ７８０と、プロセッサモジュール７７０とを含んでよく、その各々は、（たとえば、１つまたは複数のバスを介して）互いに直接または間接的に通信中であり得る。トランシーバモジュール７５０は、上記で説明されたように、アンテナ７４０および／または１つもしくは複数のワイヤードリンクもしくはワイヤレスリンクを介して、１つまたは複数のネットワークと双方向に通信するように構成される。たとえば、トランシーバモジュール７５０は、図１、図２Ａおよび図２Ｂ、図３、ならびに／または図６の基地局１０５、ならびに／または、図５Ａおよび図５Ｂのデバイス５００およい５００−ａと双方向に通信するように構成され得る。トランシーバモジュール７５０は、パケットを変調し、変調されたパケットを送信のためにアンテナ７４０に供給し、アンテナ７４０から受信されたパケットを復調するように構成されたモデムを含み得る。ユーザ機器１１５−ｅは、単一のアンテナを含み得るが、ユーザ機器１１５−ｅは、典型的には、複数のリンクのための複数のアンテナ７４０を含むことになる。
【０１２０】
[0132]メモリ７８０は、ランダムアクセスメモリ（ＲＡＭ）と読取り専用メモリ（ＲＯＭ）とを含み得る。メモリ７８０は、実行されるとプロセッサモジュール７７０に本明細書で説明される様々な機能（たとえば、呼処理、データベース管理、メッセージルーティングなど）を実行させるように構成された命令を含んでいるコンピュータ可読、コンピュータ実行可能ソフトウェアコード７８５を記憶し得る。代替的に、ソフトウェア７８５は、プロセッサモジュール７７０によって直接的に実行可能ではないことがあるが、（たとえば、コンパイルされ実行されたとき）コンピュータに本明細書で説明される機能を実行させるように構成され得る。
【０１２１】
[0133]プロセッサモジュール７７０は、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）など、インテリジェントハードウェアデバイスを含み得る。プロセッサモジュール７７０は、マイクロフォンを介してオーディオを受信し、そのオーディオを、受信されたオーディオを表す（たとえば、長さ２０ｍｓの）パケットに変換し、そのオーディオパケットをトランシーバモジュール７５０に与え、ユーザが話しているかどうかの指示を与えるように構成された音声エンコーダ（図示せず）を含み得る。代替的に、エンコーダはパケットのみをトランシーバモジュール７５０に与えてよく、パケット自体の供給または抑制／抑圧が、ユーザが話しているかどうかの指示を与える。プロセッサモジュール７７０はまた、音声エンコーダとは逆の機能を実行し得る、音声デコーダを含み得る。
【０１２２】
[0134]図７のアーキテクチャによれば、ユーザ機器１１５−ｅは、通信管理モジュール７６０をさらに含み得る。通信管理モジュール７６０は、他のユーザ機器１１５との通信を管理し得る。例として、通信管理モジュール７６０は、バスを介してユーザ機器１１５−ｅの他の構成要素の一部または全部と通信しているユーザ機器１１５−ｅの構成要素であり得る。代替的に、通信管理モジュール７６０の機能は、トランシーバモジュール７５０の構成要素として、コンピュータプログラム製品として、および／またはプロセッサモジュール７７０の１つもしくは複数のコントローラ要素として実装され得る。
【０１２３】
[0135]ユーザ機器１１５−ｅのための構成要素は、図５Ａのデバイス５００および／もしくは図５Ｂのデバイス５００−ａ、図６のシステム６００、ならびに／または、図４Ａ、図４Ｂ、図４Ｃ、図４Ｄ、図４Ｅ、および／もしくは図４Ｆのシステム４００、４００−ａ、４００−ｂ、４００−ｃ、４００−ｄ、４００−ｅの構成に関して上記で説明された態様を実装するように構成されてよく、簡潔のために本明細書で繰り返されないことがある。セルタイミング識別モジュール５１１−ｂは、図５Ｂの第１のセルタイミング識別モジュール５１１の一例であり得る。セルタイミング調整モジュール５１２−ｂは、図５Ｂの第２のセルタイミング調整モジュール５１２の一例であり得る。さらに、セルタイミング識別モジュール５１１−ｂとセルタイミング調整モジュール５１２−ｂとを含み得る、信号タイミング整合モジュール５１０−ｃは、図５Ａの信号タイミング整合モジュール５１０および／または図５Ｂの信号タイミング整合モジュール５１０−ａの一例であり得る。
【０１２４】
[0136]ユーザ機器１１５−ｅはまた、スペクトル識別モジュール（図示せず）を含み得る。スペクトル識別モジュールは、フレキシブル帯域幅波形のために利用可能なスペクトルを識別するために利用され得る。いくつかの実施形態では、ハンドオーバモジュール７２５は、ある基地局から別の基地局へのユーザ機器１１５−ｅのハンドオーバ手順を実行するために利用され得る。たとえば、ハンドオーバモジュール７２５は、ある基地局から別の基地局へのユーザ機器１１５−ｅのハンドオーバ手順を実行してよく、ここで、通常波形がユーザ機器１１５−ｅと基地局のうちの１つとの間で利用され、フレキシブル帯域幅波形がユーザ機器と別の基地局との間で利用される。帯域幅スケーリングモジュール７７は、フレキシブル帯域幅波形を生成／復号するために、チップレートおよび／または時間をスケーリングおよび／または変更するために利用され得る。
【０１２５】
[0137]いくつかの実施形態では、トランシーバモジュール７５０は、ユーザ機器１１５−ｅの他の可能な構成要素とともに、アンテナ７４０と連携して、ユーザ機器１１５−ｅから基地局またはコアネットワークへ、フレキシブル帯域幅波形および／またはスケーリング係数に関する情報を送信し得る。いくつかの実施形態では、トランシーバモジュール７５０は、ユーザ機器１１５−ｅの他の可能な構成要素とともに、アンテナ７４０と連携して、基地局またはコアネットワークとの間で、情報、そのようなフレキシブル帯域幅波形および／またはスケーリング係数を送信／受信し得るので、これらのデバイスまたはシステムは、フレキシブル帯域幅波形を利用することができる。
【０１２６】
[0138]図８は、様々な実施形態による、基地局１０５−ｇとユーザ機器１１５−ｆとを含むシステム８００のブロック図である。システム８００は、図１のシステム１００、図２Ａおよび図２Ｂのシステム２００−ａおよび２００−ｂ、図３のシステム３００、図６のシステム６００、図７のシステム７００、ならびに／または、図５Ａおよび図５Ｂのデバイス５００および５００−ａの一例であり得る。基地局１０５−ｇは、アンテナ８３４−ａ〜８３４−ｘを搭載してよく、ユーザ機器１１５−ｆは、アンテナ８５２−ａ〜８５２−ｎを搭載してよい。基地局１０５−ｇにおいて、送信プロセッサ８２０がデータソースからデータを受信し得る。システム８００は、図４Ａ、図４Ｂ、図４Ｃ、図４Ｄ、図４Ｅ、および／もしくは図４Ｆ、ならびに／または関連する説明において示されるような、呼のフローおよび／またはシステムの様々な態様を実装するように構成され得る。
【０１２７】
[0139]送信プロセッサ８２０は、データを処理し得る。送信プロセッサ８２０はまた、基準シンボルと、セル固有基準信号とを生成し得る。送信（ＴＸ）ＭＩＭＯプロセッサ８３０は、適用可能な場合、データシンボル、制御シンボル、および／または基準シンボルに対して空間処理（たとえば、プリコーディング）を実行し得、出力シンボルストリームを送信変調器８３２−ａ〜８３２−ｘに与え得る。各変調器８３２は、出力サンプルストリームを取得するために、（たとえば、ＯＦＤＭなどのために）それぞれの出力シンボルストリームを処理し得る。各変調器８３２は、ダウンリンク（ＤＬ）信号を取得するために、その出力サンプルストリームをさらに処理（たとえば、アナログ変換、増幅、フィルタ処理、およびアップコンバート）し得る。一例では、変調器８３２−ａ〜８３２−ｘからのＤＬ信号は、それぞれ、アンテナ８３４−ａ〜８３４−ｘを介して送信され得る。送信プロセッサ８２０は、プロセッサ８４０から情報を受信し得る。プロセッサ８４０はメモリ８４２と結合され得る。プロセッサ８４０は、チップレートを変更することおよび／またはスケーリング係数を利用することを通して、フレキシブル帯域幅波形を生成するように構成され得る。いくつかの実施形態では、プロセッサモジュール８４０は、様々な実施形態によるフレキシブル帯域幅を動的に適合させるために構成され得る。プロセッサ８４０は、基地局１０５−ｇとユーザ機器１１５−ｆとの間の送信に関連付けられたフレキシブル帯域幅信号の１つまたは複数のスケール係数を動的に調整し得る。これらの調整は、トラフィックパターン、干渉測定値などのような情報に基づいて行われ得る。
【０１２８】
[0140]たとえば、システム８００内で、プロセッサ８４０は、第１のセルのための１つまたは複数のフィードバックメッセージを搬送する１つまたは複数のサブフレームのためのタイミングを識別するように構成された、信号タイミング整合モジュール５１０−ｄをさらに含み得る。信号タイミング整合モジュール５１０−ｄはまた、第１のセルのための１つまたは複数のフィードバックメッセージを搬送する１つまたは複数のサブフレームと整合するように、第２のセルのための１つまたは複数のフィードバックメッセージを搬送する１つまたは複数のサブフレームのためのタイミングを調整するようにも構成され得る。少なくとも第１のセルまたは第２のセルは、１つまたは複数のフレキシブル帯域幅キャリアのうちの少なくとも１つを含み得る。信号タイミング整合モジュール５１０−ｄは、図５Ａ、図５Ｂ、図６、および／または図７の信号タイミング整合モジュール５１０、５１０−ａ、５１０−ｂ、および５１０−ｃの態様の一例であってよく、またはそれを組み込み得る。
【０１２９】
[0141]ユーザ機器１１５−ｆにおいて、ユーザ機器アンテナ８５２−ａ〜８５２−ｎは、基地局１０５−ｇからＤＬ信号を受信してよく、受信された信号を復調器８５４−ａ〜８５４−ｎにそれぞれ与え得る。各復調器８５４は、入力サンプルを取得するために、それぞれの受信された信号を調整（たとえば、フィルタ処理、増幅、ダウンコンバート、およびデジタル化）し得る。各復調器８５４は、受信されたシンボルを取得するために、（たとえば、ＯＦＤＭなどのために）入力サンプルをさらに処理し得る。ＭＩＭＯ検出器８５６は、受信されたシンボルをすべての復調器８５４−ａ〜８５４−ｎから取得し、適用可能な場合、受信されたシンボルに対してＭＩＭＯ検出を実行し、検出されたシンボルを与え得る。受信プロセッサ８５８は、検出されたシンボルを処理（たとえば、復調、デインターリーブ、および復号）し、ユーザ機器１１５−ｆのための復号されたデータをデータ出力に与え、復号された制御情報をプロセッサ８８０、またはメモリ８８２に与え得る。
【０１３０】
[0142]アップリンク（ＵＬ）または逆方向リンク上で、ユーザ機器１１５−ｆにおいて、送信プロセッサ８６４がデータソースからデータを受信し、処理し得る。送信機プロセッサ８６４はまた、基準信号のための基準シンボルを生成し得る。送信プロセッサ８６４からのシンボルは、適用可能な場合、送信ＭＩＭＯプロセッサ８６６によってプリコーディングされ、（たとえば、ＳＣ−ＦＤＭＡなどのために）復調器８５４−ａ〜８５４−ｎによってさらに処理され、基地局１０５−ｇから受信された送信パラメータに従って、基地局１０５−ｇに送信され得る。送信プロセッサ８６４はまた、チップレートを変更することおよび／またはスケーリング係数を利用することを通して、フレキシブル帯域幅波形を生成するように構成されてよく、これは場合によっては動的に行われ得る。送信プロセッサ８６４は、プロセッサ８８０から情報を受信し得る。プロセッサ８８０は、異なる整合および／またはオフセット手順を提供し得る。プロセッサ８８０はまた、他のサブシステム上で測定を実行すること、他のサブシステムへのハンドオフを実行すること、再選択を実行することなどを行うために、スケーリングおよび／またはチップレート情報を利用し得る。プロセッサ８８０は、パラメータスケーリングを通して、フレキシブル帯域幅の使用に関連付けられた時間伸張の影響を反転させ得る。基地局１０５−ｇにおいて、ユーザ機器１１５−ｆからのＵＬ信号は、アンテナ８３４によって受信され、復調器８３２によって処理され、適用可能な場合はＭＩＭＯ検出器８３６によって検出され、受信プロセッサ８３８によってさらに処理され得る。受信プロセッサ８３８は、復号されたデータをデータ出力とプロセッサ８４０とに与え得る。いくつかの実施形態では、プロセッサ８４０は、一般的なプロセッサ、送信プロセッサ８３０、および／または受信機プロセッサ８３８の一部として実装され得る。
【０１３１】
[0143]いくつかの実施形態では、プロセッサモジュール８８０は、様々な実施形態によるフレキシブル帯域幅を動的に適合させるために構成され得る。プロセッサ８８０は、基地局１０５−ｇとユーザ機器１１５−ｆとの間の送信に関連付けられたフレキシブル帯域幅信号の１つまたは複数のスケール係数を動的に調整し得る。これらの調整は、トラフィックパターン、干渉測定値などのような情報に基づいて行われ得る。
【０１３２】
[0144]たとえば、システム８００内で、プロセッサ８８０は、第１のセルのための１つまたは複数のフィードバックメッセージを搬送する１つまたは複数のサブフレームのためのタイミングを識別するように構成された、信号タイミング整合モジュール５１０−ｅをさらに含み得る。信号タイミング整合モジュール５１０−ｄはまた、第１のセルのための１つまたは複数のフィードバックメッセージを搬送する１つまたは複数のサブフレームと整合するように、第２のセルのための１つまたは複数のフィードバックメッセージを搬送する１つまたは複数のサブフレームのためのタイミングを調整するようにも構成され得る。少なくとも第１のセルまたは第２のセルは、１つまたは複数のフレキシブル帯域幅キャリアのうちの少なくとも１つを含み得る。信号タイミング整合モジュール５１０−ｄは、図５Ａ、図５Ｂ、図６、および／または図７の信号タイミング整合モジュール５１０、５１０−ａ、５１０−ｂ、および５１０−ｃの態様の一例であってよく、またはそれを組み込み得る。さらに、信号タイミング整合モジュール５１０−ｅは、信号タイミング整合モジュール５１０−ｄと協調し、および／または機能を共有し得る。
【０１３３】
[0145]図９Ａを参照すると、様々な実施形態による、１つまたは複数のフレキシブル帯域幅キャリアを利用するマルチキャリアシステムにおけるシグナリング整合のための方法９００の流れ図が提供される。方法９００は、限定はされないが、図１のシステム１００、図２Ａおよび図２Ｂのシステム２００−ａおよび２００−ｂ、図３のシステム３００、図４Ａ、図４Ｂ、図４Ｃ、図４Ｄ、図４Ｅ、および／もしくは図４Ｆのシステム４００、４００−ａ、４００−ｂ、４００−ｃ、４００−ｄ、４００−ｅ、図６のシステム６００、図７のシステム７００、ならびに／または、図８のシステム８００、図１、図２Ａ、図２Ｂ、図３、図６、および／もしくは図８の基地局１０５、図１、図２Ａ、図２Ｂ、図３、図６、図７、および／もしくは図８のユーザ機器１１５、図１および／もしくは図６のコントローラ１２０／コアネットワーク１３０、ならびに／または、図５Ａおよび図５Ｂのデバイス５００および５００−ａを含む、様々なワイヤレス通信デバイスおよび／またはシステムを利用して実施され得る。
【０１３４】
[0146]ブロック９０５で、第１のセルのための１つまたは複数のフィードバックメッセージを搬送する１つまたは複数のサブフレームのためのタイミングが識別され得る。
【０１３５】
[0147]ブロック９１０で、第２のセルのための１つまたは複数のフィードバックメッセージを搬送する１つまたは複数のサブフレームのためのタイミングが、第１のセルのための１つまたは複数のフィードバックメッセージを搬送する１つまたは複数のサブフレームと整合するように調整され得る。少なくとも第１のセルまたは第２のセルは、１つまたは複数のフレキシブル帯域幅キャリアのうちの少なくとも１つを含み得る。
【０１３６】
[0148]いくつかの実施形態では、第２のセルのための１つまたは複数のサブフレームのためのタイミングを調整することは、スタンドアロンキャリアセルに対して、第２のセルのための１つまたは複数のフィードバックメッセージのための遅延を低減し得る。第２のセルのための１つまたは複数のサブフレームのためのタイミングを調整することは、第２のセルの帯域幅が第１のセルのフレキシブル帯域幅よりも大きいとき、第１のセルと第２のセルの両方のための１つまたは複数のフィードバックメッセージのために使用されるリソース（たとえば、送信時間遅延）の容量における増加を含み／必要とし得る。場合によっては、第２のセルのための１つまたは複数のサブフレームのためのタイミングを調整することは、第２のセルのフレキシブル帯域幅が第１のセルの帯域幅未満であるとき、第１のセルと第２のセルの両方のための１つまたは複数のフィードバックメッセージのために使用されるリソース（たとえば、送信時間遅延）の容量における減少を含み／必要とし得る。
【０１３７】
[0149]いくつかの実施形態では、第１のセルは、通常帯域幅キャリアを含んでよく、第２のセルは、１つまたは複数のフレキシブル帯域幅キャリアを含んでよい。他の実施形態では、第１のセルは、フレキシブル帯域幅キャリアを含んでよく、第２のセルは、第１のセルとは異なる１つまたは複数のフレキシブル帯域幅キャリアを含んでよい。場合によっては、第１のセルのフレキシブル帯域幅は、第２のセルのフレキシブル帯域幅よりも大きい。
【０１３８】
[0150]シグナリング整合のための方法はまた、第１のセルが１つまたは複数のフレキシブル帯域幅キャリアを含んでよく、第２のセルが通常帯域幅キャリアを含んでよいときも、有益に実施され得る。場合によっては、第１のセルは、１つまたは複数のフレキシブル帯域幅キャリアを含んでよく、第２のセルは、第１のセルとは異なる１つまたは複数のフレキシブル帯域幅キャリアを含んでよい。第１のセルのフレキシブル帯域幅は、第２のセルのフレキシブル帯域幅未満であり得る。
【０１３９】
[0151]さらに他の場合には、説明される方法は、第１のセルが１に等しい帯域幅スケーリング係数を含み、第２のセルが２または４に等しい帯域幅スケーリング係数を含む場合に実施され得る。場合によっては、第１のセルは、２または４に等しい帯域幅スケーリング係数を含んでよく、第２のセルは、１に等しい帯域幅スケーリング係数を含んでよい。
【０１４０】
[0152]図９Ｂを参照すると、様々な実施形態による、１つまたは複数のフレキシブル帯域幅キャリアを利用するマルチキャリアシステムにおけるシグナリング整合のための方法９００−ａの流れ図が提供される。方法９００−ａは、限定はされないが、図１のシステム１００、図２Ａおよび図２Ｂのシステム２００−ａおよび２００−ｂ、図３のシステム３００、図４Ａ、図４Ｂ、図４Ｃ、図４Ｄ、図４Ｅ、および／もしくは図４Ｆのシステム４００、４００−ａ、４００−ｂ、４００−ｃ、４００−ｄ、４００−ｅ、図６のシステム６００、図７のシステム７００、ならびに／または、図８のシステム８００、図１、図２Ａ、図２Ｂ、図３、図６、および／もしくは図８の基地局１０５、図１、図２Ａ、図２Ｂ、図３、図６、図７、および／もしくは図８のユーザ機器１１５、図１および／もしくは図６のコントローラ１２０／コアネットワーク１３０、ならびに／または、図５Ａおよび図５Ｂのデバイス５００および５００−ａを含む、様々なワイヤレス通信デバイスおよび／またはシステムを利用して実施され得る。方法９００−ａは、図９Ａの方法９００の一例であり得る。
【０１４１】
[0153]ブロック９０５−ａで、プライマリサービングセルのための１つまたは複数のＡＣＫ／ＮＡＣＫメッセージを搬送する１つまたは複数のサブフレームのためのタイミングが識別され得る。
【０１４２】
[0154]ブロック９１５で、セカンダリサービングセルのフレキシブル帯域幅が、プライマリサービングセルの帯域幅未満であるかどうかが決定され得る。
【０１４３】
[0155]セカンダリサービングセルのフレキシブル帯域幅がプライマリサービングセルの帯域幅未満である場合、方法９００−ａはブロック９２０へ進んでよく、そこで、セカンダリサービングセルのための１つまたは複数のＡＣＫ／ＮＡＣＫメッセージを搬送する１つまたは複数のサブフレームのためのタイミングが、第１のセルのために使用されるリソースの容量を減少させることによって、プライマリサービングセルのための１つまたは複数のＡＣＫ／ＮＡＣＫメッセージを搬送する１つまたは複数のサブフレームと整合するように調整される。
【０１４４】
[0156]セカンダリサービングセルのフレキシブル帯域幅がプライマリサービングセルの帯域幅未満ではない場合、方法９００−ａはブロック９２５へ進んでよく、そこで、セカンダリサービングセルのための１つまたは複数のＡＣＫ／ＮＡＣＫメッセージを搬送する１つまたは複数のサブフレームのためのタイミングが、第２のセルのために使用されるリソースの容量を増加させることによって、プライマリサービングセルのための１つまたは複数のＡＣＫ／ＮＡＣＫメッセージを搬送する１つまたは複数のサブフレームと整合するように調整される。
【０１４５】
[0157]添付の図面に関して上記に記載された発明を実施するための形態は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味し、「好ましい」または「他の実施形態よりも有利な」を意味しない。発明を実施するための形態は、記載された技法の理解を与えるための具体的な詳細を含む。しかしながら、これらの技法は、これらの具体的な詳細なしに実践され得る。場合によっては、記載された実施形態の概念を不明瞭にしないために、よく知られている構造およびデバイスがブロック図の形態で示される。
【０１４６】
[0158]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１４７】
[0159]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来型プロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０１４８】
[0160]本明細書で説明された機能は、ハードウェア、プロセッサによって実行されるソフトウェア、ファームウェア、またはそれらの任意の組合せで実装され得る。プロセッサによって実行されるソフトウェアに実装される場合、機能は、１つまたは複数の命令またはコードとしてコンピュータ可読媒体上に記憶されるか、またはコンピュータ可読媒体を介して送信される場合がある。他の例および実装形態は、本開示および添付の特許請求の範囲内および趣旨内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が様々な物理的位置に実装されるように分散されることを含めて、様々な位置に物理的に配置される場合がある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような選言的列挙を示す。
【０１４９】
[0161]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバまたは他の遠隔ソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ただし、ディスク（disk）は、通常、データを磁気的に再生し、一方ディスク（disc）は、データをレーザーで光学的に再生する。上記の組合せもコンピュータ可読媒体の範囲内に含まれる。
【０１５０】
[0162]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
１つまたは複数のフレキシブル帯域幅キャリアを利用するマルチキャリアシステムにおけるシグナリング整合の方法であって、
第１のセルのための１つまたは複数のフィードバックメッセージを搬送する１つまたは複数のサブフレームのためのタイミングを識別することと、
前記第１のセルのための前記１つまたは複数のフィードバックメッセージを搬送する前記１つまたは複数のサブフレームと整合するように、第２のセルのための１つまたは複数のフィードバックメッセージを搬送する１つまたは複数のサブフレームのためのタイミングを調整することと、ここにおいて、少なくとも前記第１のセルまたは前記第２のセルは、前記１つまたは複数のフレキシブル帯域幅キャリアのうちの少なくとも１つを備える、を備える方法。
［Ｃ２］
前記１つまたは複数のフィードバックメッセージが、少なくともＡＣＫメッセージまたはＮＡＣＫメッセージを備える、Ｃ１に記載の方法。
［Ｃ３］
前記第２のセルのための前記１つまたは複数のサブフレームのための前記タイミングを調整することが、スタンドアロンキャリアセルに対して、前記第２のセルのための前記１つまたは複数のフィードバックメッセージのための遅延を低減する、Ｃ１に記載の方法。
［Ｃ４］
前記第２のセルのための前記１つまたは複数のサブフレームのための前記タイミングを調整することが、前記第２のセルの帯域幅が前記第１のセルのフレキシブル帯域幅よりも大きいとき、前記第１のセルと前記第２のセルの両方のための前記１つまたは複数のフィードバックメッセージのために使用されるリソースの容量における増加を備える、Ｃ１に記載の方法。
［Ｃ５］
前記第２のセルのための前記１つまたは複数のサブフレームのための前記タイミングを調整することが、前記第２のセルのフレキシブル帯域幅が前記第１のセルの帯域幅未満であるとき、前記第１のセルと第２のセルの両方のための前記１つまたは複数のフィードバックメッセージのために使用されるリソースの容量における減少を備える、Ｃ１に記載の方法。
［Ｃ６］
前記第１のセルが、通常帯域幅キャリアを備え、前記第２のセルが、前記１つまたは複数のフレキシブル帯域幅キャリアのうちの１つを備える、Ｃ１に記載の方法。
［Ｃ７］
前記第１のセルが、前記１つまたは複数のフレキシブル帯域幅キャリアのうちの１つを備え、前記第２のセルが、通常帯域幅キャリアを備える、Ｃ１に記載の方法。
［Ｃ８］
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、Ｃ１に記載の方法。
［Ｃ９］
前記第１のセルが、１に等しい帯域幅スケーリング係数を備え、前記第２のセルが、２または４に等しい帯域幅スケーリング係数を備える、Ｃ６に記載の方法。
［Ｃ１０］
前記第１のセルが、２または４に等しい帯域幅スケーリング係数を備え、前記第２のセルが、１に等しい帯域幅スケーリング係数を備える、Ｃ７に記載の方法。
［Ｃ１１］
１つまたは複数のフレキシブル帯域幅キャリアを利用する、複数のキャリアを用いるシグナリング整合のためのシステムであって、
第１のセルのための１つまたは複数のフィードバックメッセージを搬送する１つまたは複数のサブフレームのためのタイミングを識別するための手段と、
前記第１のセルのための前記１つまたは複数のフィードバックメッセージを搬送する前記１つまたは複数のサブフレームと整合するように、第２のセルのための１つまたは複数のフィードバックメッセージを搬送する１つまたは複数のサブフレームのためのタイミングを調整するための手段と、ここにおいて、少なくとも前記第１のセルまたは前記第２のセルは、前記１つまたは複数のフレキシブル帯域幅キャリアのうちの少なくとも１つを備える、を備えるシステム。
［Ｃ１２］
前記１つまたは複数のフィードバックメッセージが、少なくともＡＣＫメッセージまたはＮＡＣＫメッセージを備える、Ｃ１１に記載のシステム。
［Ｃ１３］
前記第２のセルのための前記１つまたは複数のサブフレームのための前記タイミングを調整するための前記手段が、スタンドアロンキャリアセルに対して、前記１つまたは複数のフィードバックメッセージ前記第２のセルのための遅延を低減する、Ｃ１１に記載のシステム。
［Ｃ１４］
前記第２のセルのための前記１つまたは複数のサブフレームのための前記タイミングを調整するための前記手段が、前記第２のセルの帯域幅が前記第１のセルのフレキシブル帯域幅よりも大きいとき、前記第１のセルと前記第２のセルの両方のための前記１つまたは複数のフィードバックメッセージのために使用されるリソースの容量における増加を備える、Ｃ１１に記載のシステム。
［Ｃ１５］
前記第２のセルのための前記１つまたは複数のサブフレームのための前記タイミングを調整するための前記手段が、前記第２のセルのフレキシブル帯域幅が前記第１のセルの帯域幅未満であるとき、前記第１のセルと第２のセルの両方のための前記１つまたは複数のフィードバックメッセージのために使用されるリソースの容量における減少を備える、Ｃ１１に記載のシステム。。
［Ｃ１６］
前記第１のセルが、通常帯域幅キャリアを備え、前記第２のセルが、前記１つまたは複数のフレキシブル帯域幅キャリアのうちの１つを備える、Ｃ１１に記載のシステム。
［Ｃ１７］
前記第１のセルが、前記１つまたは複数のフレキシブル帯域幅キャリアのうちの１つを備え、前記第２のセルが、通常帯域幅キャリアを備える、Ｃ１１に記載のシステム。
［Ｃ１８］
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、Ｃ１１に記載のシステム。。
［Ｃ１９］
前記第１のセルが、１に等しい帯域幅スケーリング係数を備え、前記第２のセルが、２または４に等しい帯域幅スケーリング係数を備える、Ｃ１６に記載のシステム。
［Ｃ２０］
前記第１のセルが、２または４に等しい帯域幅スケーリング係数を備え、前記第２のセルが、１に等しい帯域幅スケーリング係数を備える、Ｃ１７に記載のシステム。
［Ｃ２１］
ワイヤレス通信システムにおけるシグナリング整合のためのコンピュータプログラム製品であって、
第１のセルのための１つまたは複数のフィードバックメッセージを搬送する１つまたは複数のサブフレームのためのタイミングを識別するためのコードと、
前記第１のセルのための前記１つまたは複数のフィードバックメッセージを搬送する前記１つまたは複数のサブフレームと整合するように、第２のセルのための１つまたは複数のフィードバックメッセージを搬送する１つまたは複数のサブフレームのためのタイミングを調整するコードと、ここにおいて、少なくとも前記第１のセルまたは前記第２のセルは、前記１つまたは複数のフレキシブル帯域幅キャリアのうちの少なくとも１つを備える、
を備える非一時的コンピュータ可読媒体を備えるコンピュータプログラム製品。
［Ｃ２２］
前記１つまたは複数のフィードバックメッセージが、少なくともＡＣＫメッセージまたはＮＡＣＫメッセージを備える、Ｃ２１に記載のコンピュータプログラム製品。
［Ｃ２３］
前記第２のセルのための前記１つまたは複数のサブフレームのための前記タイミングを調整するための前記コードが、スタンドアロンキャリアセルに対して、前記１つまたは複数のフィードバックメッセージ前記第２のセルのための遅延を低減する、Ｃ２１に記載のコンピュータプログラム製品。
［Ｃ２４］
前記第２のセルのための前記１つまたは複数のサブフレームのための前記タイミングを調整するための前記コードが、前記第２のセルの帯域幅が前記第１のセルのフレキシブル帯域幅よりも大きいとき、前記第１のセルと前記第２のセルの両方のための前記１つまたは複数のフィードバックメッセージのために使用されるリソースの容量を増加させるためのコードを備える、Ｃ２１に記載のコンピュータプログラム製品。
［Ｃ２５］
前記第２のセルのための前記１つまたは複数のサブフレームのための前記タイミングを調整するための前記コードが、前記第２のセルのフレキシブル帯域幅が前記第１のセルの帯域幅未満であるとき、前記第１のセルと第２のセルの両方のための前記１つまたは複数のフィードバックメッセージのために使用されるリソースの容量を減少させるためのコードを備える、Ｃ２１に記載のコンピュータプログラム製品。
［Ｃ２６］
前記第１のセルが、通常帯域幅キャリアを備え、前記第２のセルが、前記１つまたは複数のフレキシブル帯域幅キャリアのうちの１つを備える、Ｃ２１に記載のコンピュータプログラム製品。
［Ｃ２７］
前記第１のセルが、前記１つまたは複数のフレキシブル帯域幅キャリアのうちの１つを備え、前記第２のセルが、通常帯域幅キャリアを備える、Ｃ２１に記載のコンピュータプログラム製品。
［Ｃ２８］
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、Ｃ２１に記載のコンピュータプログラム製品。
［Ｃ２９］
前記第１のセルが、１に等しい帯域幅スケーリング係数を備え、前記第２のセルが、２または４に等しい帯域幅スケーリング係数を備える、Ｃ２６に記載のコンピュータプログラム製品。
［Ｃ３０］
前記第１のセルが、２または４に等しい帯域幅スケーリング係数を備え、前記第２のセルが、１に等しい帯域幅スケーリング係数を備える、Ｃ２７に記載のコンピュータプログラム製品。
［Ｃ３１］
ワイヤレス通信システムにおけるシグナリング整合のために構成されたワイヤレス通信デバイスであって、
第１のセルのための１つまたは複数のフィードバックメッセージを搬送する１つまたは複数のサブフレームのためのタイミングを識別することと、
前記第１のセルのための前記１つまたは複数のフィードバックメッセージを搬送する前記１つまたは複数のサブフレームと整合するように、第２のセルのための１つまたは複数のフィードバックメッセージを搬送する１つまたは複数のサブフレームのためのタイミングを調整することと、ここにおいて、少なくとも前記第１のセルまたは前記第２のセルは、前記１つまたは複数のフレキシブル帯域幅キャリアのうちの少なくとも１つを備える、
を行うように構成された少なくとも１つのプロセッサを備えるワイヤレス通信デバイス。
［Ｃ３２］
前記１つまたは複数のフィードバックメッセージが、少なくともＡＣＫメッセージまたはＮＡＣＫメッセージを備える、Ｃ３１に記載のワイヤレス通信デバイス。
［Ｃ３３］
前記第２のセルのための前記１つまたは複数のサブフレームのための前記タイミングを調整することが、スタンドアロンキャリアセルに対して、前記第２のセルのための前記１つまたは複数のフィードバックメッセージのための遅延を低減する、Ｃ３１に記載のワイヤレス通信デバイス。
［Ｃ３４］
前記第２のセルのための前記１つまたは複数のサブフレームのための前記タイミングを調整することが、前記第２のセルの帯域幅が前記第１のセルのフレキシブル帯域幅よりも大きいとき、前記第１のセルと前記第２のセルの両方のための前記１つまたは複数のフィードバックメッセージのために使用されるリソースの容量における増加を備える、Ｃ１に記載の方法。
［Ｃ３５］
前記第２のセルのための前記１つまたは複数のサブフレームのための前記タイミングを調整することが、前記第２のセルのフレキシブル帯域幅が前記第１のセルの帯域幅未満であるとき、前記第１のセルと第２のセルの両方のための前記１つまたは複数のフィードバックメッセージのために使用されるリソースの容量における減少を備える、Ｃ３１に記載のワイヤレス通信デバイス。。
［Ｃ３６］
前記第１のセルが、通常帯域幅キャリアを備え、前記第２のセルが、前記１つまたは複数のフレキシブル帯域幅キャリアのうちの１つを備える、Ｃ３１に記載のワイヤレス通信デバイス。
［Ｃ３７］
前記第１のセルが、前記１つまたは複数のフレキシブル帯域幅キャリアのうちの１つを備え、前記第２のセルが、通常帯域幅キャリアを備える、Ｃ３１に記載のワイヤレス通信デバイス。
［Ｃ３８］
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、Ｃ３１に記載のワイヤレス通信デバイス。
［Ｃ３９］
前記第１のセルが、１に等しい帯域幅スケーリング係数を備え、前記第２のセルが、２または４に等しい帯域幅スケーリング係数を備える、Ｃ３６に記載のワイヤレス通信デバイス。
［Ｃ４０］
前記第１のセルが、２または４に等しい帯域幅スケーリング係数を備え、前記第２のセルが、１に等しい帯域幅スケーリング係数を備える、Ｃ３７に記載のワイヤレス通信デバイス。
【図１】
0006479765.tif 000004
【図２Ａ】
0006479765.tif 000005
【図２Ｂ】
0006479765.tif 000006
【図３】
0006479765.tif 000007
【図４Ａ】
0006479765.tif 000008
【図４Ｂ】
0006479765.tif 000009
【図４Ｃ】
0006479765.tif 000010
【図４Ｄ】
0006479765.tif 000011
【図４Ｅ】
0006479765.tif 000012
【図４Ｆ】
0006479765.tif 000013
【図５Ａ】
0006479765.tif 000014
【図５Ｂ】
0006479765.tif 000015
【図６】
0006479765.tif 000016
【図７】
0006479765.tif 000017
【図８】
0006479765.tif 000018
【図９Ａ】
0006479765.tif 000019
【図９Ｂ】
0006479765.tif 000020